(57)【要約】【課題】外部機器との連携による使用が終了した場合に、その外部機器に携帯端末が接続されたままの状態で置き忘れられることを確実に防止する。【解決手段】携帯電話機１は、テレビ２による自端末の使用が終了したか否かを判定する使用状態判定部１１１と、使用状態判定部１１１により自端末の使用が終了したと判定された場合に、テレビ２と接続状態であれば、接続状態であることをテレビ２に警告させる警告制御部１１２と、を備える。これにより、テレビ２との連携による使用が終了した場合に、テレビ２に携帯電話機１が接続されたままの状態で置き忘れられることを確実に防止することができる。【選択図】図１
2011182257.tif 000002
【特許請求の範囲】
【請求項１】
外部機器に接続して、その外部機器と連携して使用可能な携帯端末であって、
上記外部機器による自端末の使用が終了したか否かを判定する判定手段と、
上記判定手段により上記自端末の使用が終了したと判定された場合に、上記外部機器と接続状態であれば、当該接続状態であることを当該外部機器に警告させる警告制御手段と、を備えることを特徴とする携帯端末。
【請求項２】
上記判定手段は、上記外部機器が待機状態であることを示す待機信号を受信した場合に、当該外部機器による自端末の使用が終了したと判定することを特徴とする請求項１に記載の携帯端末。
【請求項３】
上記警告制御手段は、上記外部機器の待機状態を解除するための待機解除信号を当該外部機器に送信することを特徴とする請求項２に記載の携帯端末。
【請求項４】
上記外部機器は、他の外部機器とも連携して使用可能に接続されており、自端末及び当該他の外部機器の何れか一方を使用している場合には他方からの入力を無効とするものであり、
上記判定手段は、上記外部機器における、自端末の使用から上記他の外部機器の使用への切替を示す使用切替信号を受信した場合に、当該外部機器による自端末の使用が終了したと判定することを特徴とする請求項１に記載の携帯端末。
【請求項５】
上記警告制御手段は、上記待機解除信号を上記外部機器に送信してから所定の時間、当該外部機器との接続状態が維持されている場合には、当該外部機器を待機状態とするための待機指示信号を当該外部機器に送信することを特徴とする請求項３に記載の携帯端末。
【請求項６】
上記外部機器は、映像表示機能及び音声出力機能を有しており、
上記警告制御手段は、上記外部機器と接続状態であることを示す警告用映像ファイル、又は、上記外部機器と接続状態であることを示す警告用音声ファイルが当該警告用映像ファイルに含まれた警告用音声付映像ファイルを当該外部機器に送信することを特徴とする請求項１から５の何れか１項に記載の携帯端末。
【請求項７】
上記外部機器は、映像表示機能及び音声出力機能を有しており、
上記外部機器には、自端末が当該外部機器と接続状態であることを示す警告用映像ファイル、又は、自端末が当該外部機器と接続状態であることを示す警告用音声ファイルが当該警告用映像ファイルに含まれた警告用音声付映像ファイルが記憶されており、
上記警告制御手段は、上記警告用映像ファイル又は警告用音声付映像ファイルを表示又は出力するための警告出力指示を上記外部機器に送信することを特徴とする請求項１から５の何れか１項に記載の携帯端末。
【請求項８】
外部機器が有する表示画面は、自端末が有する表示画面よりも大きいことを特徴とする請求項６または７に記載の携帯端末。
【請求項９】
外部に情報を提示する提示手段を備え、
上記警告制御手段は、上記提示手段に上記外部機器と接続状態であることを提示させることを特徴とする請求項１から８の何れか１項に記載の携帯端末。
【請求項１０】
第１外部機器と接続可能であり、第２外部機器に接続して、その第２外部機器と連携して使用可能な携帯端末であって、
上記第２外部機器による自端末の使用が終了したか否かを判定する判定手段と、
上記判定手段により上記自端末の使用が終了したと判断された場合に、上記第２外部機器と接続状態であれば、当該接続状態であることを上記第１外部機器に警告させる警告制御手段と、を備えることを特徴とする携帯端末。
【請求項１１】
上記判定手段は、上記第２外部機器とのファイルの送受信が停止状態となったことを示す停止信号を受信した場合に、当該第２外部機器による自端末の使用が終了したと判定することを特徴とする請求項１０に記載の携帯端末。
【請求項１２】
上記判定手段は、上記第２外部機器からビーコンを所定の回数受信しなかった場合に、当該第２外部機器による自端末の使用が終了したと判定することを特徴とする請求項１０に記載の携帯端末。
【請求項１３】
上記第１外部機器は、上記第２外部機器により自端末が使用されているときには待機状態となっており、
上記警告制御手段は、上記第１外部機器の待機状態を解除するための待機解除信号を当該第１外部機器に送信することを特徴とする請求項１０から１２の何れか１項に記載の携帯端末。
【請求項１４】
上記警告制御手段が、上記第１外部機器に上記待機解除信号を送信してから所定の時間経過後、当該第１外部機器を待機状態とするための待機指示信号を当該第１外部機器に送信することを特徴とする請求項１３に記載の携帯端末。
【請求項１５】
上記第１外部機器は、映像表示機能及び音声出力機能を有しており、
上記警告制御手段は、上記第２外部機器と接続状態であることを示す警告用映像ファイル、又は、上記外部機器と接続状態であることを示す警告用音声ファイルが当該警告用映像ファイルに含まれた警告用音声付映像ファイルを当該第１外部機器に送信することを特徴とする請求項１０から１４の何れか１項に記載の携帯端末。
【請求項１６】
上記第１外部機器は、映像表示機能及び音声出力機能を有しており、
上記第１外部機器には、自端末が上記第２外部機器と接続状態であることを示す警告用映像ファイル、又は、自端末が上記第２外部機器と接続状態であることを示す警告用音声ファイルが当該警告用映像ファイルに含まれた警告用音声付映像ファイルが記憶されており、
上記警告制御手段は、上記警告用映像ファイル又は警告用音声付映像ファイルを表示又は出力するための警告出力指示を上記第１外部機器に送信することを特徴とする請求項１０から１４の何れか１項に記載の携帯端末。
【請求項１７】
上記第１外部機器が有する表示画面は、自端末が有する表示画面よりも大きいことを特徴とする請求項１５または１６に記載の携帯端末。
【請求項１８】
上記第１外部機器が固定電話機であり、自端末と電話回線網を介して接続されており、
上記警告制御手段は、上記固定電話機を発呼するための発呼信号を当該固定電話機に送信し、当該固定電話機を発呼する最大回数を示す最大呼び出し回数内に、当該固定電話機が当該発呼信号に応じた場合には、自端末が上記第２外部機器と接続状態であることを示す警告用音声ファイルを再生することを特徴とする請求項１０に記載の携帯端末。
【請求項１９】
上記固定電話機は、少なくとも１台の子機と接続されており、
上記警告制御手段は、上記最大呼び出し回数内に、上記固定電話機及び子機の何れかが上記発呼信号に応じた場合には、自端末が上記第２外部機器と接続状態であることを示す警告用音声ファイルを再生することを特徴とする請求項１８に記載の携帯端末。
【請求項２０】
外部に情報を提示する提示手段を備え、
上記警告制御手段は、上記提示手段に上記第１外部機器と接続状態であることを提示させることを特徴とする請求項１０から１９の何れか１項に記載の携帯端末。
【請求項２１】
外部機器に接続して、その外部機器と連携して使用可能な携帯端末の制御方法であって、
上記外部機器による自端末の使用が終了したか否かを判定する判定ステップと、
上記判定ステップにより上記自端末の使用が終了したと判断された場合に、上記外部機器と接続状態であれば、当該接続状態であることを当該外部機器に警告させる警告制御ステップと、を含むことを特徴とする携帯端末の制御方法。
【請求項２２】
第１外部機器と接続可能であり、第２外部機器に接続して、その第２外部機器と連携して使用可能な携帯端末の制御方法であって、
上記第２外部機器による自端末の使用が終了したか否かを判定する判定ステップと、
上記判定ステップにより上記自端末の使用が終了したと判断された場合に、上記第２外部機器と接続状態であれば、当該接続状態であることを上記第１外部機器に警告させる警告制御ステップと、を含むことを特徴とする携帯端末の制御方法。
【請求項２３】
請求項１から２０の何れか１項に記載の携帯端末の上記の各手段としてコンピュータを機能させるための制御プログラム。
【請求項２４】
請求項２３に記載の制御プログラムを記録したコンピュータ読み取り可能な記録媒体。
【発明の詳細な説明】
【技術分野】
【０００１】
本発明は、外部機器との通信を行うことが可能な携帯端末等に関するものである。
【背景技術】
【０００２】
従来から、携帯端末が外部機器に接続されており、携帯端末をその外部機器に接続しておく必要がなくなった場合には、ユーザは、通常、携帯端末をその外部機器から取り外すことが多い。つまり、外部機器により携帯端末を使用する必要がなくなった（あるいは携帯端末により外部機器を使用する必要がなくなった）場合、携帯端末は、通常、外部機器から取り外されることが多い。これは、外部機器の消費電力を抑制したり、外部機器を介しての携帯端末の使用（外部機器による、携帯端末に記録されているコンテンツの再生、外部機器を介しての携帯端末の充電など）が終了した場合に、他の目的で当該携帯端末を使用（または所持）したりするなどの理由からである。
【０００３】
しかし、外部機器に接続される携帯端末は、外部機器との接続の必要がなくなった後に、取り外し可能あるいは接続状態となったままであるなどの警告が行われない場合には、そのまま放置されて（置き忘れられて）しまう可能性がある。特に、携帯端末は、その利便性から比較的小型のものが多いので、置き忘れられてしまう可能性が高い。また、外部機器が車載機器の場合には、車両から下車する際に車内に携帯端末を置き忘れられてしまう可能性が高い。
【０００４】
このような車内への携帯端末の置き忘れ防止を図るために、例えば特許文献１および２には以下のような技術が開示されている。
【０００５】
特許文献１には、携帯端末（特許文献１においては外部機器または持込機器）が車載機器に接続されている状態でアクセサリー電源がオフになったときに、車載機器側で、車載機器による携帯端末の使用を終了させる条件を満たしているかを判断し、置き忘れ防止の警告を行う、携帯端末の置き忘れ警告装置が開示されている。上記条件としては、例えば車両の駐車位置が安全地点にあるか、車内温度が機器保証温度を超えているか、などが挙げられる。この置き忘れ装置によれば、携帯端末の盗難や破壊の恐れを考慮して置き忘れ警告することができる。
【０００６】
なお、携帯端末としては携帯電話機や、カメラ、カムコーダ、ネットブック、ＰＣ（Personal Computer）等が挙げられ、また、車載機器としては、テレビや、モニター、スピーカー、記録装置等が挙げられる。
【０００７】
また、特許文献２には、鳴動素子と、外部電源（自動車のバッテリー）からの電力供給が遮断されたことを検出する外部電源検出手段と、外部電源検出手段の検出信号によって作動し、鳴動素子に駆動信号を供給することによって鳴動素子に鳴音を発生させる鳴動素子駆動回路とを備える携帯電話機が開示されている。この携帯電話によれば、ユーザが自動車のエンジンを停止して下車するときに、携帯電話機を車内に置き忘れることを確実に防止できる。
【先行技術文献】
【特許文献】
【０００８】
【特許文献１】特開２００８−１９７７６７号公報（２００８年８月２８日公開）
【特許文献２】特開平１０−２１５２１４号公報（１９９８年８月１１日公開）
【発明の概要】
【発明が解決しようとする課題】
【０００９】
しかしながら、特許文献１の技術では、携帯端末が車載機器と連携して使用される場合には車内への置き忘れの警告を行うことができるが、車載機器以外の外部機器と連携して使用される場合には、その外部機器が置き忘れの警告機能（置き忘れの条件判断及び警告の両方）を有していない限り、置き忘れの警告を行うことができない。
【００１０】
携帯端末は、通常、ユーザが携帯しながら使用するものであるので、車載機器以外の外部機器と連携して使用される可能性も十分にある。このため、その外部機器が上記の警告機能を有していなければ、その外部機器により携帯端末が車載機器と同様に使用される場合に、携帯端末がその外部機器に接続されたまま置き忘れられる虞がある。
【００１１】
つまり、特許文献１の技術では、車載機器（外部機器）が置き忘れ警告機能を有しているが、携帯端末自体にその機能を備えていないので、携帯端末が車載機器以外の外部機器と連携して使用される場合には、様々な外部機器における携帯端末の置き忘れ防止を図ることができない。
【００１２】
また、特許文献２の技術では、携帯電話機が、自動車のバッテリーからの電力供給が遮断したことを判断し鳴動素子を鳴動させることにより、置き忘れの警告を行っているが、当該警告を自動車（車載機器）側にも行わせることについては開示されていない。
【００１３】
携帯電話機は、比較的小型であるため、外部機器に接続されたまま置き忘れられやすいという特性を有している。このため、携帯電話機自体が警告を行っただけでは、ユーザがその警告に気づかない虞がある。特に、携帯電話機が車載機器以外の外部機器と連携して使用され、その外部機器が車内よりも広い空間に設置されている場合には、携帯電話機による警告にユーザが気づかない可能性がより高くなる。
【００１４】
つまり、特許文献２の技術では、車載機器（外部機器）にて置き忘れの警告を行っていないので、携帯電話機が使用される場面によっては、携帯電話機が置き忘れの警告を行ってもユーザがその警告に気づかない虞がある。
【００１５】
また、特許文献１および２の技術では、自動車のバッテリーからの電力供給のために携帯端末（携帯電話機）を車載機器に接続する場面において、車内への携帯端末の置き忘れ防止を図ることを目的としている。しかし、これらの技術では、車載機器以外の外部機器と連携して携帯端末を使用する場面において、その使用が完了した後に、携帯端末が外部機器と接続状態であることをユーザに警告することについては想定していない。
【００１６】
本発明は、上記の問題を解決するためになされたもので、その目的は、外部機器との連携による使用が終了した場合に、その外部機器に自端末が接続されたままの状態で置き忘れられることを確実に防止することが可能な携帯端末、携帯端末の制御方法、制御プログラムおよび記録媒体を提供することにある。
【課題を解決するための手段】
【００１７】
本発明に係る携帯端末は、上記の課題を解決するために、外部機器に接続して、その外部機器と連携して使用可能な携帯端末であって、上記外部機器による自端末の使用が終了したか否かを判定する判定手段と、上記判定手段により上記自端末の使用が終了したと判定された場合に、上記外部機器と接続状態であれば、当該接続状態であることを当該外部機器に警告させる警告制御手段と、を備えることを特徴としている。
【００１８】
また、本発明に係る携帯端末の制御方法は、上記の課題を解決するために、外部機器に接続して、その外部機器と連携して使用可能な携帯端末の制御方法であって、上記外部機器による自端末の使用が終了したか否かを判定する判定ステップと、上記判定ステップにより上記自端末の使用が終了したと判断された場合に、上記外部機器と接続状態であれば、当該接続状態であることを当該外部機器に警告させる警告制御ステップと、を含むことを特徴としている。
【００１９】
上記構成によれば、携帯端末（その制御方法）では、警告制御手段（警告制御ステップ）が、判定手段（判定ステップ）により外部機器による自端末の使用が終了したと判定された場合に、その外部機器と接続状態であれば、その旨を当該外部機器に警告させる。つまり、携帯端末自身が、外部機器による自端末の使用終了の判断を行うため、携帯端末と連携して使用可能な外部機器（接続先機器）がその判断を行う必要がない。このため、携帯端末は、上記の使用終了の判断を行う機能を有していない外部機器と連携して使用される場合であっても、その外部機器と接続状態であることを示す警告を当該外部機器に行わせることができる。つまり、携帯端末は、自身で上記の使用終了の判断を行うため、外部機器が上記の判断機能を有しているか否かに関わらず、上記の警告を外部機器に行わせることが可能となる。
【００２０】
また、警告制御手段は、上記の警告を外部機器（すなわち携帯端末以外の機器）に警告を行わせているので、警告主体を、置き忘れられやすい（放置されやすい）という特性を有する携帯端末から外部機器に転換することができる。それにより、警告効果を高め、置き忘れ防止の効果を確実に高めることができる。
【００２１】
したがって、本発明の携帯端末（その制御方法）は、外部機器との連携による使用が終了した場合に、その外部機器に自端末が接続されたままの状態で置き忘れられることを確実に防止することができるという効果を奏する。
【００２２】
なお、「外部機器と連携して使用」及び「外部機器による自端末の使用」とは、外部機器により携帯端末に記録されているデータが利用されている状態や、携帯端末と外部機器との間でデータ等の送受信が行われている状態を指す。例えば、外部機器により、携帯端末の画像、映像、音楽などのデータが再生され、ユーザに視聴されている状態や、外部機器（あるいは携帯端末）に記録されているデータを携帯端末（あるいは外部機器）にダウンロードしている状態を指す。
【００２３】
本発明に係る携帯端末では、上記判定手段は、上記外部機器が待機状態であることを示す待機信号を受信した場合に、当該外部機器による自端末の使用が終了したと判定することが好ましい。
【００２４】
上記構成によれば、判定手段は、外部機器から待機信号を受信することにより、その外部機器が待機状態となった（外部機器の電源がオフになった）と判断する。外部機器の電源がオンとならない限り、外部機器に接続されている携帯端末が使用されることはないので、判定手段は、外部機器が待機状態になったと判断することにより、外部機器による自端末の使用が終了したと判定する。
【００２５】
これにより、携帯端末は、外部機器の電源がオフとなったという、自端末が外部機器により使用されない状況を確実に把握した上で、自端末の使用終了の判定を行うことができる。
【００２６】
本発明に係る携帯端末では、上記警告制御手段は、上記外部機器の待機状態を解除するための待機解除信号を当該外部機器に送信することが好ましい。
【００２７】
上記構成によれば、警告制御手段は、判定手段が上記の判定を行った場合に、待機解除信号を外部機器に送信する。これにより、外部機器の待機状態が解除され、外部機器の電源がオンとなるので、携帯端末は、その外部機器の状態の変化（電源オフから電源オン）を利用することにより、外部機器と接続状態であることをその外部機器に警告させることができる。
【００２８】
本発明に係る携帯端末では、上記外部機器は、他の外部機器とも連携して使用可能に接続されており、自端末及び当該他の外部機器の何れか一方を使用している場合には他方からの入力を無効とするものであり、上記判定手段は、上記外部機器における、自端末の使用から上記他の外部機器の使用への切替を示す使用切替信号を受信した場合に、当該外部機器による自端末の使用が終了したと判定することが好ましい。
【００２９】
上記構成によれば、外部機器は、携帯端末及び他の外部機器にそれぞれ接続可能となっており、何れか一方を使用している（例えば外部機器が何れか一方からの入力を許可している）場合には、他方からの入力を無効とするような接続を、例えばＨＤＭＩ（High Definition Multimedia Interface）接続により実現できる構成となっている。
【００３０】
その接続においては、判定手段は、使用切替信号を受信した場合に、外部機器により他の外部機器の使用が開始され、自端末が使用されなくなったと判断する。外部機器により携帯端末が使用されなくなった後に、そのまま携帯端末を外部機器に接続しておく必要はないので、判定手段は、上記の判断を行うことにより、外部機器による自端末の使用が終了したと判定する。
【００３１】
これにより、携帯端末は、外部機器により他の外部機器の使用が開始されたために自端末が使用されなくなったという、自端末が外部機器により使用されない状況を確実に把握した上で、自端末の使用終了の判定を行うことができる。
【００３２】
本発明に係る携帯端末では、上記警告制御手段は、上記待機解除信号を上記外部機器に送信してから所定の時間、当該外部機器との接続状態が維持されている場合には、当該外部機器を待機状態とするための待機指示信号を当該外部機器に送信することが好ましい。
【００３３】
所定の時間、外部機器との接続状態に変化がない場合には、例えばユーザが外部機器の近くにおらず、警告を確認することができない状態にあると考えられる。この場合に、外部機器による警告を引き続き行ったとしても、その警告がユーザに確認されないまま、当該外部機器の電力を無駄に消費することになってしまう。
【００３４】
上記構成によれば、警告制御手段が、所定の時間、外部機器との接続状態が維持されている場合には、待機指示信号を外部機器に送信するので、当該時間が経過した後には外部機器の電源をオフにすることができる。したがって、外部機器の警告に利用されるときの電力の無駄な消費を抑制することができる。また、所定の時間経過後に外部機器が電源オンされたまま放置されるという状況を回避できる。
【００３５】
本発明に係る携帯端末では、上記外部機器は、映像表示機能及び音声出力機能を有しており、上記警告制御手段は、上記外部機器と接続状態であることを示す警告用映像ファイル、又は、上記外部機器と接続状態であることを示す警告用音声ファイルが当該警告用映像ファイルに含まれた警告用音声付映像ファイルを当該外部機器に送信することが好ましい。
【００３６】
上記構成によれば、外部機器が映像表示機能及び音声出力機能を有しているので、警告制御手段が警告用映像ファイル又は警告用音声付映像ファイルを外部機器に送信することにより、外部機器にて映像表示（音声出力を伴う場合を含む）による警告を行わせることができる。このため、ユーザが、この警告を、外部機器の電源がオンになったというだけでなく、警告用映像ファイル又は警告用音声付映像ファイルを視聴することでも確認することができるので、携帯端末は、ユーザに対してより確実に警告を行うことができる。
【００３７】
本発明に係る携帯端末では、上記外部機器は、映像表示機能及び音声出力機能を有しており、上記外部機器には、自端末が当該外部機器と接続状態であることを示す警告用映像ファイル、又は、自端末が当該外部機器と接続状態であることを示す警告用音声ファイルが当該警告用映像ファイルに含まれた警告用音声付映像ファイルが記憶されており、上記警告制御手段は、上記警告用映像ファイル又は警告用音声付映像ファイルを表示又は出力するための警告出力指示を上記外部機器に送信することが好ましい。
【００３８】
上記構成によれば、外部機器は、映像表示機能及び音声出力機能を有しており、警告用画像ファイル又は警告用音声付映像ファイルを記憶している。また、警告制御手段は、外部機器が警告用映像ファイル又は警告用音声付映像ファイルを表示又は出力するための警告出力指示を、当該外部機器に送信する。外部機器は、この警告出力指示を警告制御手段から受信することにより、記憶している警告用画像ファイル又は警告用音声付映像ファイルを表示又は出力する。つまり、警告制御手段は、警告出力指示を外部機器に送信することにより、外部機器にて映像表示（音声出力を伴う場合を含む）による警告を行わせることができる。
【００３９】
このため、ユーザが、この警告を、外部機器の電源がオンになったというだけでなく、警告用映像ファイル又は警告用音声付映像ファイルを視聴することでも確認することができるので、携帯端末は、ユーザに対してより確実に警告を行うことができる。
【００４０】
本発明に係る携帯端末では、外部機器が有する表示画面は、自端末が有する表示画面よりも大きいことが好ましい。
【００４１】
上記構成によれば、警告制御手段は、自端末の表示画面よりも大きい外部機器の表示画面を利用して警告を行わせることができる。このため、外部機器からある程度離れた場所にいるユーザに対しても、その警告に対する注意をひきやすくすることができ、警告効果をより高めることができる。
【００４２】
本発明に係る携帯端末では、外部に情報を提示する提示手段を備え、上記警告制御手段は、上記提示手段に上記外部機器と接続状態であることを提示させることが好ましい。
【００４３】
上記構成によれば、警告制御手段は、外部機器に警告させるとともに、自端末においても警告を行う。このため、複数の機器にて警告を行うことができるので、より警告効果を高めることができる。
【００４４】
本発明に係る携帯端末は、上記の課題を解決するために、第１外部機器と接続可能であり、第２外部機器に接続して、その第２外部機器と連携して使用可能な携帯端末であって、上記第２外部機器による自端末の使用が終了したか否かを判定する判定手段と、上記判定手段により上記自端末の使用が終了したと判断された場合に、上記第２外部機器と接続状態であれば、当該接続状態であることを上記第１外部機器に警告させる警告制御手段と、を備えることを特徴としている。
【００４５】
また、本発明に係る携帯端末の制御方法は、上記の課題を解決するために、第１外部機器と接続可能であり、第２外部機器に接続して、その第２外部機器と連携して使用可能な携帯端末の制御方法であって、上記第２外部機器による自端末の使用が終了したか否かを判定する判定ステップと、上記判定ステップにより上記自端末の使用が終了したと判断された場合に、上記第２外部機器と接続状態であれば、当該接続状態であることを上記第１外部機器に警告させる警告制御ステップと、を含むことを特徴としている。
【００４６】
上記構成によれば、携帯端末（その制御方法）では、警告制御手段（警告制御ステップ）が、判定手段（判定ステップ）により第２外部機器による自端末の使用が終了したと判定された場合に、その第２外部機器と接続状態であれば、その旨を第１外部機器に警告させる。つまり、携帯端末自身が、第２外部機器による自端末の使用終了の判断を行うため、携帯端末と連携して使用可能な第２外部機器（接続先機器）がその判断を行う必要がない。このため、携帯端末は、上記の使用終了の判断を行う機能を有していない第２外部機器と連携して使用される場合であっても、その第２外部機器と接続状態であることを示す警告を、報知機能を有する第１外部機器に行わせることができる。
【００４７】
また、警告制御手段は、上記の警告を第１外部機器（すなわち携帯端末以外の機器）に警告を行わせているので、警告主体を、置き忘れられやすい（放置されやすい）という特性を有する携帯端末から第１外部機器（接続先機器）に転換することができる。それにより、警告効果を高め、置き忘れ防止の効果を確実に高めることができる。
【００４８】
したがって、本発明の携帯端末（その制御方法）は、第２外部機器との連携による使用が終了した場合に、その第２外部機器に自端末が接続されたままの状態で置き忘れられることを確実に防止することができるという効果を奏する。
【００４９】
なお、「第２外部機器と連携して使用」及び「第２外部機器による自端末の使用」とは、第２外部機器により携帯端末に記録されているデータが利用されている状態や、携帯端末と第２外部機器との間でデータ等の送受信が行われている状態を指す。例えば、第２外部機器（あるいは携帯端末）に記録されているデータを携帯端末（あるいは第２外部機器）にダウンロードしている状態や、第２外部機器により、携帯端末からデータがダウンロードされるとともに、挿入されている持ち運び可能な記録媒体に記録されている状態を指す。
【００５０】
本発明に係る携帯端末では、上記判定手段は、上記第２外部機器とのファイルの送受信が停止状態となったことを示す停止信号を受信した場合に、当該第２外部機器による自端末の使用が終了したと判定することが好ましい。
【００５１】
上記構成によれば、判定手段は、第２外部機器から停止信号を受信することにより、第２外部機器とのファイル（データ）の送受信が停止状態となったと判断する。第２外部機器とのファイルの送受信が停止した場合、それ以上ファイルの送受信が行われることがないので、そのまま携帯端末を第２外部機器に接続しておく必要はない。このため、判定手段は、上記の判断を行うことにより、第２外部機器による自端末の使用が終了したと判定する。
【００５２】
これにより、携帯端末は、ファイルの送受信が停止状態になったという、自端末が第２外部機器により使用されない状況を確実に把握した上で、自端末の使用終了の判定を行うことができる。
【００５３】
本発明に係る携帯端末では、上記判定手段は、上記第２外部機器からビーコンを所定の回数受信しなかった場合に、当該第２外部機器による自端末の使用が終了したと判定することが好ましい。
【００５４】
上記構成によれば、判定手段は、第２外部機器からビーコンを所定の回数受信しなかった場合には、第２外部機器との接続が未接続状態になったと判断する。この状態では、第２外部機器とのデータの送受信を行うことが不可能となるため、この状態となった後には、それ以上データの送受信が行われることがなく、そのまま携帯端末を第２外部機器に接続しておく必要はない。このため、判定手段は、上記の判断を行うことにより、第２外部機器による自端末の使用が終了したと判定する。
【００５５】
これにより、携帯端末は、第２外部機器からビーコンを所定の回数受信しなかったという、自端末が第２外部機器により使用されない状況を確実に把握した上で、自端末の使用終了の判定を行うことができる。
【００５６】
本発明に係る携帯端末では、上記第１外部機器は、上記第２外部機器により自端末が使用されているときには待機状態となっており、上記警告制御手段は、上記第１外部機器の待機状態を解除するための待機解除信号を当該第１外部機器に送信することが好ましい。
【００５７】
上記構成によれば、第１外部機器は、第２外部機器により携帯端末が使用されているときには待機状態（電源オフ）となっている。この状況において、警告制御手段は、判定手段が上記の判定を行った場合に、待機解除信号を第１外部機器に送信する。これにより、第１外部機器の待機状態が解除され、第１外部機器の電源がオンとなるので、携帯端末は、その第１外部機器の状態の変化（電源オフから電源オン）を利用することにより、第２外部機器と接続状態であることをその第１外部機器に警告させることができる。
【００５８】
本発明に係る携帯端末では、上記警告制御手段が、上記第１外部機器に上記待機解除信号を送信してから所定の時間経過後、当該第１外部機器を待機状態とするための待機指示信号を当該第１外部機器に送信することが好ましい。
【００５９】
上記構成によれば、警告制御手段が、所定の時間経過後、待機指示信号を外部機器に送信するので、当該時間が経過した後には第１外部機器の電源をオフにすることができる。したがって、第１外部機器の警告に利用されるときの電力の無駄な消費を抑制することができる。また、所定の時間経過後に外部機器が電源オンされたまま放置されるという状況を回避できる。
【００６０】
本発明に係る携帯端末では、上記第１外部機器は、映像表示機能及び音声出力機能を有しており、上記警告制御手段は、上記第２外部機器と接続状態であることを示す警告用映像ファイル、又は、上記外部機器と接続状態であることを示す警告用音声ファイルが当該警告用映像ファイルに含まれた警告用音声付映像ファイルを当該第１外部機器に送信することが好ましい。
【００６１】
上記構成によれば、第１外部機器が映像表示機能及び音声出力機能を有しているので、警告制御手段が警告用映像ファイル又は警告用音声付映像ファイルを第１外部機器に送信することにより、第１外部機器にて映像表示（音声出力を伴う場合を含む）による警告を行わせることができる。このため、ユーザが、この警告を、第１外部機器の電源がオンになったというだけでなく、警告用映像ファイル又は警告用音声付映像ファイルを視聴することでも確認することができるので、携帯端末は、ユーザに対してより確実に警告を行うことができる。
【００６２】
本発明に係る携帯端末では、上記第１外部機器は、映像表示機能及び音声出力機能を有しており、上記第１外部機器には、自端末が上記第２外部機器と接続状態であることを示す警告用映像ファイル、又は、自端末が上記第２外部機器と接続状態であることを示す警告用音声ファイルが当該警告用映像ファイルに含まれた警告用音声付映像ファイルが記憶されており、上記警告制御手段は、上記警告用映像ファイル又は警告用音声付映像ファイルを表示又は出力するための警告出力指示を上記第１外部機器に送信することが好ましい。
【００６３】
上記構成によれば、第１外部機器は、映像表示機能及び音声出力機能を有しており、警告用画像ファイル又は警告用音声付映像ファイルを記憶している。また、警告制御手段は、第１外部機器が警告用映像ファイル又は警告用音声付映像ファイルを表示又は出力するための警告出力指示を、当該第１外部機器に送信する。第１外部機器は、この警告出力指示を警告制御手段から受信することにより、記憶している警告用画像ファイル又は警告用音声付映像ファイルを表示又は出力する。つまり、警告制御手段は、警告出力指示を第１外部機器に送信することにより、第１外部機器にて映像表示（音声出力を伴う場合を含む）による警告を行わせることができる。
【００６４】
このため、ユーザが、この警告を、第１外部機器の電源がオンになったというだけでなく、警告用映像ファイル又は警告用音声付映像ファイルを視聴することでも確認することができるので、携帯端末は、ユーザに対してより確実に警告を行うことができる。
【００６５】
本発明に係る携帯端末では、上記第１外部機器が有する表示画面は、自端末が有する表示画面よりも大きいことが好ましい。
【００６６】
上記構成によれば、警告制御手段は、自端末の表示画面よりも大きい第１外部機器の表示画面を利用して警告を行わせることができる。このため、第１外部機器からある程度離れた場所にいるユーザに対しても、その警告に対する注意をひきやすくすることができ、警告効果をより高めることができる。
【００６７】
本発明に係る携帯端末では、上記第１外部機器が固定電話機であり、自端末と電話回線網を介して接続されており、上記警告制御手段は、上記固定電話機を発呼するための発呼信号を当該固定電話機に送信し、当該固定電話機を発呼する最大回数を示す最大呼び出し回数内に、当該固定電話機が当該発呼信号に応じた場合には、自端末が上記第２外部機器と接続状態であることを示す警告用音声ファイルを再生することが好ましい。
【００６８】
上記構成によれば、携帯端末は、少なくとも音声を通話者に報知することが可能な固定電話機と接続されている。この状況において、警告制御手段は、判定手段が上記の判定を行った場合に、発呼信号を固定電話機に送信する。これにより、固定電話機では発呼状態（呼び出し状態）となり、最大呼び出し回数内にユーザがこの発呼に応じた場合には、警告制御手段は、警告用音声ファイルを再生する。
【００６９】
したがって、固定電話機を通話状態とした（例えば固定電話機の受話器をとった）ユーザは、自端末が第２外部機器と接続状態であることを示す警告を、固定電話機を介して確認することができる。このため、携帯端末は、たとえ映像表示機能を有していない機器であっても、音声を用いることにより、当該機器に警告を行わせることができる。
【００７０】
本発明に係る携帯端末では、上記固定電話機は、少なくとも１台の子機と接続されており、上記警告制御手段は、上記最大呼び出し回数以内に、上記固定電話機又は子機が上記発呼信号に応じた場合には、自端末が上記第２外部機器と接続状態であることを示す警告用音声ファイルを再生することが好ましい。
【００７１】
上記構成によれば、ユーザが、最大呼び出し回数内に、固定電話機及び当該固定電話機と接続されている子機の何れかを通話状態とした場合には、警告制御手段は、警告用音声ファイルを再生する。これにより、ユーザは、通話状態とした固定電話機及び子機の何れかを介して、自端末が第２外部機器と接続状態であることを示す警告を確認することができる。つまり、ユーザが、固定電話機の設置場所付近だけでなく、子機が設定されている付近においても警告を確認することができるので、携帯端末は、第１外部装置が固定電話機だけの場合と比べて、より警告効果を高めることができる。
【００７２】
本発明に係る携帯端末では、外部に情報を提示する提示手段を備え、上記警告制御手段は、上記提示手段に上記第１外部機器と接続状態であることを提示させることが好ましい。
【００７３】
上記構成によれば、警告制御手段は、第１外部機器に警告させるとともに、自端末においても警告を行う。このため、複数の機器にて警告を行うことができるので、より警告効果を高めることができる。
【００７４】
なお、上記携帯端末は、コンピュータによって実現してもよく、この場合には、コンピュータを上記各手段として動作させることにより上記携帯端末をコンピュータにて実現させる携帯端末の制御プログラム、およびそれを記録したコンピュータ読み取り可能な記録媒体も、本発明の範疇に入る。
【００７５】
上記制御プログラムによれば、コンピュータで上記手段を実現することにより、コンピュータ上で携帯端末を実現することができる。また、上記記録媒体によれば、記録媒体から読み出される制御プログラムを、汎用のコンピュータ上で実現することができる。
【発明の効果】
【００７６】
本発明に係る携帯端末は、以上のように、上記外部機器による自端末の使用が終了したか否かを判定する判定手段と、上記判定手段により上記自端末の使用が終了したと判定された場合に、上記外部機器と接続状態であれば、当該接続状態であることを当該外部機器に警告させる警告制御手段と、を備える構成である。
【００７７】
また、本発明に係る携帯端末の制御方法は、以上のように、上記外部機器による自端末の使用が終了したか否かを判定する判定ステップと、上記判定ステップにより上記自端末の使用が終了したと判断された場合に、上記外部機器と接続状態であれば、当該接続状態であることを当該外部機器に警告させる警告制御ステップと、を含む方法である。
【００７８】
また、本発明に係る携帯端末は、以上のように、上記第２外部機器による自端末の使用が終了したか否かを判定する判定手段と、上記判定手段により上記自端末の使用が終了したと判断された場合に、上記第２外部機器と接続状態であれば、当該接続状態であることを上記第１外部機器に警告させる警告制御手段と、を備える構成である。
【００７９】
また、本発明に係る携帯端末の制御方法は、以上のように、上記第２外部機器による自端末の使用が終了したか否かを判定する判定ステップと、上記判定ステップにより上記自端末の使用が終了したと判断された場合に、上記第２外部機器と接続状態であれば、当該接続状態であることを上記第１外部機器に警告させる警告制御ステップと、を含む方法である。
【００８０】
それゆえ、本発明の携帯端末（その制御方法）は、外部機器または第２外部機器と連携しての使用が終了した場合に、その外部機器または第２外部機器に自端末が接続されたままの状態で置き忘れられることを確実に防止することができるという効果を奏する。
【図面の簡単な説明】
【００８１】
【図１】本発明の一実施形態に係る携帯電話機の構成の一例を示すブロック図である。
【図２】本発明の一実施形態に係る通信システムの概略構成の一例を示す図である。
【図３】本発明の一実施形態に係る携帯電話機の外観の一例を示す図である。
【図４】本発明の一実施形態に係る携帯電話機の処理の一例を示すフローチャートである。
【図５】本発明の一実施形態に係る携帯電話機の処理の一例を示す携帯電話機−テレビのＨＤＭＩ  ＣＥＣ処理シーケンスである。
【図６】本発明の一実施形態に係る通信システムが備えるテレビが警告用画像ファイルを受信し、そのテレビのディスプレイに表示したときの表示画面の一例を示す図である。
【図７】本発明の別の実施形態に係る携帯電話機の処理の一例を示すフローチャートである。
【図８】本発明の別の実施形態に係る携帯電話機の処理の一例を示す携帯電話機−テレビのＨＤＭＩ  ＣＥＣ処理シーケンスである。
【図９】本発明の更に別の実施形態に係る通信システムの概略構成の一例を示す図である。
【図１０】本発明の更に別の実施形態に係る携帯電話機の処理の一例を示すフローチャートである。
【図１１】本発明の更に別の実施形態に係る携帯電話機の処理の一例を示す録画再生装置−携帯電話機−テレビのＨＤＭＩ  ＣＥＣ処理シーケンスである。
【図１２】本発明の更に別の実施形態に係る通信システムの概略構成の一例を示す図である。
【図１３】本発明の更に別の実施形態に係る携帯電話機の構成の一例を示すブロック図である。
【図１４】本発明の更に別の実施形態に係る携帯電話機の処理の一例を示すフローチャートである。
【図１５】本発明の更に別の実施形態に係る通信システムの概略構成の一例を示す図である。
【図１６】本発明の更に別の実施形態に係る携帯電話機の構成の一例を示すブロック図である。
【図１７】本発明の更に別の実施形態に係る携帯電話機の処理の一例を示すフローチャートである。
【図１８】本発明の更に別の実施形態に係る通信システムの概略構成の一例を示す図である。
【図１９】本発明の更に別の実施形態に係る携帯電話機の処理の一例を示すフローチャートである。
【図２０】本発明の更に別の実施形態に係る携帯電話機の処理の一例を示すＰＣ−携帯電話機−テレビのＨＤＭＩ  ＣＥＣ処理シーケンスである。
【発明を実施するための形態】
【００８２】
本発明に係る携帯端末は、自端末が接続先機器により連携して使用されなくなったことを検出し、自端末とは異なる電子機器（接続先機器またはその他の電子機器）に表示出力または音声出力を切り替えて、携帯端末の置き忘れ防止のための警告を行わせるための命令を出すものである。これにより、接続先機器との連携（協働）による使用が終了した場合に、その外部機器に自端末が接続されたままの状態で置き忘れられることを確実に防止することができる。
【００８３】
以下に、本発明に係る携帯端末についての一例として、図１〜図１９を用いて実施の形態１〜７を説明する。
【００８４】
〔実施の形態１〕
本発明の実施の一形態について図１〜図６に基づいて説明すれば、以下のとおりである。本実施の形態では、携帯電話機１（携帯端末）をテレビ２（外部機器）とＨＤＭＩケーブルを用いて接続して（ＨＤＭＩ接続して）、携帯電話機１がテレビ２と連携して使用される場合に、このテレビ２に携帯電話機１の置き忘れを警告させる一例について説明する。
【００８５】
〔通信システム１０の概略構成〕
まず、本実施の形態に係る通信システム１０について、図２を用いて説明する。図２は、本実施の形態に係る通信システム１０の概略構成の一例を示す図である。すなわち、図２では、携帯電話機１と他機器との接続の概要を示している。通信システム１０は、携帯電話機１、映像表示機能及び音声出力機能を有するテレビ２、コンテンツの録画再生を制御する録画再生装置３、及び、テレビ２を遠隔操作するための遠隔操作機能を有するリモコン４を備えている。携帯電話機１は、テレビ２とＨＤＭＩ接続されている。また、テレビ２は、録画再生装置３ともＨＤＭＩ接続されている。なお、テレビ２、録画再生装置３及びリモコン４の構成は既知であるので、具体的な説明については省略する。
【００８６】
例えば、携帯電話機１にはダウンロードなどによって取得したコンテンツ（画像ファイル、動画ファイル、音楽ファイル等）が記録されており、携帯電話機１は、そのコンテンツをテレビ２に送信して、テレビ２に対する再生制御を行うことで、テレビ２側による視聴を可能にしている。本実施の形態では、この携帯電話機１に記憶されているコンテンツがテレビ２で視聴されている状態（再生されている状態）を、携帯電話機１がテレビ２と連携して使用されている状態とする。
【００８７】
また、通信システム１０では、本実施の形態に係る携帯端末の一例として携帯電話機１を挙げて説明するが、これに限らず、ＰＤＡ（Personal Digital Assistant）、ノートＰＣなどの携帯端末であり、後述の構成（特に制御部１１の機能）を有することが可能な携帯端末であればどのような携帯端末であってもよい。
【００８８】
ここで、ＨＤＭＩとは、主に、家庭用電気器具やＡＶ機器向けのデジタル映像・音声入出力インタフェース規格のことである。１本のＨＤＭＩケーブルで映像、音声及び制御信号を送受信することが可能である。映像及び音声のデータは、ＴＭＤＳ（Transition Minimized Differential Signaling）方式でソース機器（データ発信側の機器、例えば携帯電話機１や録画再生装置３）からシンク機器（データ受け取り側の機器、例えばテレビ２）に伝送され、制御信号は、ＣＥＣ(Consumer Electronics Control)ライン上での双方向通信により機器間制御を実現している。ＣＥＣを利用することで、例えば録画再生装置３への再生操作ひとつで、録画再生装置３に接続されているテレビ２が予備電源の状態ならば電源を入れ、携帯電話機１の入力が受け付け可能な状態となっている場合には、録画再生装置３からの入力映像を受け付けるように入力切替を行い、その入力映像をテレビ２に表示させるワンタッチプレイ機能等を実現することができる。
【００８９】
〔携帯電話機１の外観〕
次に、本実施の形態に係る携帯電話機１の外観について説明する。図３は、携帯電話機１の外観の一例を示す図である。図３では、その一例として、クラムシェル型の携帯電話機を示しており、また、ソーラーパネルを装着することにより自端末による発電も可能な構成となっている。この形態に限らず、後述の機能ブロック（制御部１１、記憶部１２、通信部１５及びタイマー１７等）を備えることが可能であれば、現在市販されている携帯電話機のどのような形態のものであってもよい。なお、本実施の形態における処理では、携帯電話機１側で操作を行うことはない。このため、本実施の形態における処理については、キー等は、携帯電話機１の外観上必須の構成ではない。
【００９０】
〔携帯電話機１の構成〕
次に、図１を用いて、本実施の形態に係る携帯電話機１の内部構成について説明する。図１は、携帯電話機１の構成の一例を示す図である。
【００９１】
図１に示すように、携帯電話機１は、テレビ２に接続して、そのテレビ２と連携して使用可能なものであり、制御部１１、記憶部１２、タイマー１３、通信部１４、表示部２１（提示手段）、スピーカー２２（提示手段）、入力部２３及び無線部２４を備えている。
【００９２】
制御部１１は、主として、使用状態判定部１１１（判定手段）、警告制御部１１２（警告制御手段）、通信制御部１１３及びタイマー制御部１１４を備え、例えば制御プログラムを実行することにより、携帯電話機１を構成する部材（携帯電話機１の動作全体）を制御するものである。制御部１１は、携帯電話機１に備えられた記憶部１２に格納されているプログラムを、例えばＲＡＭ（Random Access Memory）等で構成される一次記憶部（不図示）に必要に応じて読み出して実行することにより各種処理を行う。ここで、制御部１１の要部構成について説明する。
【００９３】
使用状態判定部１１１は、テレビ２による携帯電話機１の使用が終了したか否かを判定し、その使用が終了したと判定した場合には、警告制御部１１２にその旨を通知するものである。具体的には、使用状態判定部１１１は、所定の時間Ｔ１満了内に、携帯電話機１とテレビ２とのＨＤＭＩ接続が未接続になったか否かを判定するために、通信制御部１１３に対して、携帯電話機１とテレビ２とのＨＤＭＩ接続の接続状態を確認するための確認指示を送信する。
【００９４】
警告制御部１１２は、使用状態判定部１１１によりテレビ２による携帯電話機１の使用が終了したと判定された場合に、通信制御部１１３に対してテレビ２の電源オンや警告表示を行うための指示（命令）を通知して、テレビ２と接続状態であれば、その旨をテレビ２に警告させるものである。
【００９５】
通信制御部１１３は、通信部１４を制御することにより、通信部１４におけるＨＤＭＩ規格に従った信号の入出力に関する解析及び制御（ＣＥＣコマンド（ＣＥＣメッセージ）のシーケンス管理）を行うものである。具体的には、通信制御部１１３は、警告制御部１１２からの指示を受けると、当該指示を実行するのに必要なＣＥＣコマンドを作成し、通信部１４からテレビ２に送信させる。また、通信制御部１１３は、テレビ２からＣＥＣコマンドを受信すると、当該ＣＥＣコマンドを解析し、その結果を使用状態判定部１１１及びタイマー制御部１１４に通知する。その他、通信制御部１１３は、警告制御部１１２からの指示を受けて、記憶部１２に記憶されているコンテンツや警告用映像ファイル、警告用音声付映像ファイルなどを、通信部１４を介してテレビ２に送信させる。
【００９６】
警告用映像ファイル及び警告用音声付映像ファイルは、ユーザへの置き忘れ警告を行うためのものであり、テレビ２と接続状態であることを示す情報である。警告用映像ファイルとは、警告用動画ファイル及び警告用静止画ファイル（警告用画像ファイル）を指すものである。また、警告用音声付映像ファイルは、テレビ２と接続状態であることを示す警告用音声ファイルが警告用映像ファイルに含まれたものを指す。
【００９７】
また、通信制御部１１３は、テレビ２（接続先機器）の有無判定を行うために、Rx Sense機能（ＴＭＤＳラインが終端されたか否かでレシーバ（テレビ２）側がアクティブな状態であるか否かを判定する機能）を有しているか、定期的にＣＥＣコマンドである「ping」コマンドを送出する。
【００９８】
「ping」コマンドは、ＨＤＭＩにおいて接続先機器の有無の検出に使用されるものである。「ping」コマンドを送出して接続先機器の有無判定を行う場合には、通信制御部１１３は、ＨＤＭＩで規定されている最大接続機器数から自端末を除いた１５機器宛に順番に「ping」コマンドを送出し、ＡＣＫ受信の有無で該当機器の接続の有無を知る。もしくは、通信制御部１１３は、接続の有無を知りたいテレビ２等の特定機器にのみ「ping」コマンドを送出し、その接続の有無を確認してもよい。
【００９９】
タイマー制御部１１４は、タイマー１３を制御することにより、携帯電話機１内の時刻及び時間管理を制御するものである。
【０１００】
記憶部１２は、制御部１１が実行する（１）各部の制御プログラム、（２）ＯＳプログラム、（３）アプリケーションプログラム、および、（４）これらプログラムを実行するときに読み出す各種データを記録するものである。記憶部１２は、例えばＨＤＤ（Hard Disk Drive）、半導体メモリ等の記憶装置によって構成されるものであり、必要に応じてＲＯＭ（Read Only Memory）フラッシュメモリなどの不揮発性の記憶装置によって構成される。なお、上述した一次記憶部は、ＲＡＭなどの揮発性の記憶装置によって構成されているが、本実施の形態では、記憶部１２が一次記憶部（バッファ）の機能も備えているものとして説明する場合もある。記憶部１２は、例えば警告用映像ファイル、警告用音声付映像ファイルなどを記憶している。
【０１０１】
なお、記憶部１２は、携帯電話機１が備えるものとして説明するが、これに限らず、外付けのメモリスティック（登録商標）など、携帯電話機１とは異なる外部装置によって実現されていてもよい。
【０１０２】
タイマー１３は、タイマー制御部１１４の制御を受けて、時刻または時間の計時を行うものである。
【０１０３】
通信部１４は、通信制御部１１３の制御を受けて、ＨＤＭＩ接続（規格）に従ったデータ及び制御信号の入出力を行うものである。
【０１０４】
表示部２１は、制御部１１の制御を受けて、記憶部１２に記憶されているコンテンツやその他の動画ファイル、警告用映像ファイル、警告用音声付映像ファイル、携帯電話機１の制御に必要な情報などを表示することにより、ユーザへの表示を行うものである。表示部２１は、例えば液晶パネルにより構成されているが、これに限らず、有機ＥＬ（Electro Luminescence）パネルなどが用いられていてもよい。
【０１０５】
スピーカー２２は、制御部１１の制御を受けて、記憶部１２に記憶されている音声ファイルや警告用音声ファイル、通話時の通話相手の音声などを出力するものである。
【０１０６】
すなわち、表示部２１及びスピーカー２２は、携帯電話機１の外部に（例えばユーザに対して）情報を提示するものである。
【０１０７】
入力部２３は、例えばテンキーなどの各種キーを備え、ユーザの入力を受け付けるものであり、その入力を制御部１１に通知するものである。
【０１０８】
無線部２４は、制御部１１の制御を受けて、例えば呼制御プロトコルに従って基地局との通信を行うものであり、通話やメールといった携帯電話機１の基本的な通信機能を実現するための部材である。
【０１０９】
〔携帯電話機１における処理及び通信システム１０におけるシーケンス〕
次に、図４及び図５を用いて、携帯電話機１における処理について説明する。図４は、携帯電話機１の処理の一例を示すフローチャートであり、図５は、その処理の一例を示す携帯電話機１−テレビ２のＨＤＭＩ  ＣＥＣ処理シーケンスである。なお、処理の説明において、「Ｓ」は図４における処理ステップを示し、「Ｃ」は図５におけるシーケンスステップを示すものとし、他の実施の形態においても同様とする。なお、以下では、ユーザへの置き忘れ警告を、警告用映像ファイルのひとつである警告用画像ファイルを用いて行う場合について主に説明するが、これに限らず、警告用動画ファイル又は警告用音声付映像ファイルでもよい。また、後述の実施の形態についても同様である。
【０１１０】
まず、テレビ２がユーザによりリモコン４で電源オフされると、テレビ２は、ＣＥＣコマンドである「Standby」コマンドを携帯電話機１に送信する。携帯電話機１では、通信部１４がこのＣＥＣコマンド（「Standby」コマンド）を受信する（Ｓ１、Ｃ１１）。実際には、通信制御部１１３が、通信部１４が受信したＣＥＣコマンドを解析することで、このＣＥＣコマンドが「Standby」コマンドであると判断し、使用状態判定部１１１及びタイマー制御部１１４に、テレビ２が電源オフとなった旨を通知する。
【０１１１】
タイマー制御部１１４は、その通知を受けると、タイマー１３を作動させ、所定の時間Ｔ１の計時を開始させる（Ｓ１２）。この所定の時間Ｔ１は、ユーザ自身が、テレビ２が電源オフとなって、携帯電話機１がテレビ２との連携した使用が終了したと判断し、テレビ２からＨＤＭＩケーブルを抜き取るのに十分で、かつ、そのまま携帯電話機１が接続されていてもその利用に困らない程度の時間に設定されていればよい。
【０１１２】
タイマー制御部１１４は、所定の時間Ｔ１の計時を開始させると、その旨を使用状態判定部１１１に通知する。使用状態判定部１１１は、その通知を受けると、所定の時間Ｔ１満了内（所定の時間Ｔ１が経過する前）に、携帯電話機１とテレビ２とのＨＤＭＩ接続が未接続になったか否かを判定する（Ｓ１３）。なお、タイマー制御部１１４は、所定の時間Ｔ１の計時を開始すると、その計時を随時確認することにより、所定の時間Ｔ１が経過したか否か（所定の時間Ｔ１満了となったか否か）を確認しており、所定の時間Ｔ１が経過した場合には、その旨を使用状態判定部１１１に通知する。
【０１１３】
具体的には、使用状態判定部１１１は、タイマー制御部１１４からの通知を受けると、通信制御部１１３に対して、携帯電話機１とテレビ２とのＨＤＭＩ接続の接続状態を確認するための確認指示を送信する。通信制御部１１３は、この確認指示を受信すると、Rx sense機能が有効な場合は継続して同機能を動作させる、もしくは、ＣＥＣコマンドである「ping」コマンドを通信部１４からテレビ２に送出させることにより、上記の接続状態を確認する。通信制御部１１３は、Rx sense機能によりＴＭＤＳラインが終端されたことを確認した場合、または、「prig」コマンドに対するＡＣＫを受信しなかった場合、未接続になったと判定し、その旨を使用状態判定部１１１に通知する。
【０１１４】
使用状態判定部１１１は、所定の時間Ｔ１の計時が終了した旨の通知をタイマー制御部１１４から受ける前に、通信制御部１１３から未接続になった旨の通知を受けなかった場合、所定の時間Ｔ１満了内に未接続にならなかった（接続状態に変化なく所定の時間Ｔ１が経過した）と判定する。この時点において、使用状態判定部１１１は、テレビ２による携帯電話機１の使用が終了したと判定する。つまり、使用状態判定部１１１は、テレビ２が待機状態であることを示す「Standby」コマンド（待機信号）を受信した場合に、テレビ２による自端末の使用が終了したと判定している。
【０１１５】
使用状態判定部１１１が所定の時間Ｔ１内に未接続にならなかったと判定した場合（Ｓ１３でＮＯ）、警告制御部１１２にその旨を通知する。警告制御部１１２は、テレビ２の電源オンにするための指示を通信制御部１１３に送信する。通信制御部１１３は、その指示を受信すると、ＣＥＣコマンドである「Image View On」コマンドもしくは「Text View On」コマンドを、通信部１４からテレビ２に送信させる。テレビ２は、「Image View On」コマンドもしくは「Text View On」コマンドを受信すると、自身の電源をオンにする。つまり、警告制御部１１２は、通信制御部１１３を制御することにより、テレビ２の待機状態を解除するための「Image View On」コマンド（待機解除信号）をテレビ２に送信して、テレビ２の電源をオンにするものである（Ｓ１４、Ｃ１２）。
【０１１６】
このように、警告制御部１１２は、使用状態判定部１１１により携帯電話機１の使用が終了したと判定された場合に、一度電源オフとなったテレビ２を再度電源オンとすることにより、テレビ２と接続状態であることを、携帯電話機１よりも大きいディスプレイを有するテレビ２を用いて警告を行わせている。このため、携帯電話機１は、所定の時間Ｔ１が経過後、テレビ２が電源オンになったというテレビ２の状況変化を作りだすことによって、ユーザの注意をひくことができ、テレビ２に携帯電話機１が接続されたままの状態で置き忘れられることを確実に防止することができる。
【０１１７】
また、警告制御部１１２は、Ｓ１４の処理時におけるテレビ２の電源オンの指示後、記憶部１２に記憶されている置き忘れ警告を行うための警告用画像ファイルをテレビ２に表示させるための指示も通信制御部１１３に送信している。
【０１１８】
このため、通信制御部１１３は、「Image View On」コマンドもしくは「Text View On」コマンドの送信後、ＣＥＣコマンドである「Active Source」コマンドを、通信部１４からテレビ２に送信させる。これにより、通信制御部１１３は、携帯電話機１から送信される映像を有効にする（表示する）ように、テレビ２に入力切替を行わせる（Ｓ１５、Ｃ１３）。
【０１１９】
通信制御部１１３は、「Active Source」コマンドを通信部１４に送信させると、警告用画像ファイルを記憶部１２から読み出して、通信部１４を介してテレビ２に送信する。つまり、警告制御部１１２は、通信制御部１１３に対して警告用画像ファイルをテレビ２に送信するよう指示することにより、通信制御部１１３を介して、テレビ２と接続状態であることを示す警告用画像ファイルをテレビ２に送信（出力）する（Ｓ１６）。なお、ＨＤＭＩを用いているので、携帯電話機１は、テレビ２の入力切替を行うことで、テレビ２に表示させる映像を切り替えることことができる。このため、携帯電話機１は、テレビ２への映像送出時の宛先指定を行わなくてもよい。
【０１２０】
このように、警告制御部１１２は、使用状態判定部１１１により携帯電話機１の使用が終了したと判定された場合に、警告用画像ファイルをテレビ２に送信させることにより、テレビ２と接続状態であることをテレビ２に警告させている。このため、ユーザは、所定の時間Ｔ１が経過後、テレビ２のディスプレイに警告用画像ファイルが表示され、その表示を確認することにより、テレビ２に携帯電話機１が接続されたままの状態で置き忘れられることを確実に防止することができる。
【０１２１】
なお、携帯電話機１は、接続状態となっていることを示す警告を行うために、テレビ２に警告用画像ファイル等の表示を行わせず、テレビ２を電源オンとするだけでもよい。但し、より確実な置き忘れ防止を図るためには、警告用画像ファイル等の表示により警告を行う方が好ましい。
【０１２２】
図６は、Ｓ１６において、テレビ２が警告用画像ファイルを受信し、ディスプレイに表示したときの表示画面の一例を示す図である。図６では、「携帯端末ＳＨ００１（携帯電話機１）が接続されています」という警告文を含む警告用画像ファイルが表示されている例を示している。
【０１２３】
また、Ｓ１３において、使用状態判定部１１１は、所定の時間Ｔ１が経過した旨の通知を通信制御部１１３から受ける前に、通信制御部１１３から未接続になった旨の通知を受けた場合には、所定の時間Ｔ１満了内に未接続になったと判定する。この場合（Ｓ１３でＹＥＳ）、既にＨＤＭＩケーブルがテレビ２から取り外され、携帯電話機１からテレビ２をＨＤＭＩで制御することは不可能となり、接続状態にあること（置き忘れ防止）を警告する必要がないので、図４に示す携帯電話機１の処理を終了させる。
【０１２４】
なお、上記では、使用状態判定部１１１が、接続状態に変化のないまま所定の時間Ｔ１が経過した場合に、テレビ２による携帯電話機１の使用が終了したものと判定したが、これに限らず、使用状態判定部１１１は、テレビ２が電源オフとなった旨の通知を通信制御部１１３から直接通知され、この通知をトリガーとして、上記の終了を判定してもよい。但し、ユーザの利便性を考慮すれば、所定の時間Ｔ１が経過した後に上記の終了を判定した方が好ましい。
【０１２５】
また、上記では、テレビ２でのみ警告映像が表示されているが、これに限らず、携帯電話機１が備える表示部２１にも警告映像を表示させてもよい。このとき携帯電話機１の表示部２１に表示される映像は、テレビ２の警告映像と同じでもよいし、異なっていてもよい。また、携帯電話機が備えるスピーカー２２から警告用音声ファイルを出力してもよい。つまり、警告制御部１１２は、携帯電話機１の表示部２１及び／またはスピーカー２２を用いてテレビ２と接続状態であることを提示させてもよい。
【０１２６】
また、携帯電話機１とテレビ２とがi.Link等のＨＤＭＩとは別の方式で接続されており、テレビ２からコネクション（i.Linkの場合、IEC61883-1）が切断されたときについても、同様な手順により、テレビ２による置き忘れ防止の警告を行うことができる。
【０１２７】
また、上記では、携帯電話機１の記憶部１２に警告用画像ファイル又は警告用音声付映像ファイルが記録されており、当該ファイルをテレビ２に送信することにより、テレビ２に警告を行わせているが、これに限らず、テレビ２に当該ファイルが予め記録されており、このファイルを用いてテレビ２に警告を行わせるようにしてもよい。この場合、Ｓ１５（Ｃ１３）にて、警告用映像ファイル又は警告用音声付映像ファイルを表示又は出力する旨を示すベンダ・コマンド（警告出力指示）をテレビ２に送出する。テレビ２は、このベンダ・コマンドを受信すると、テレビ２の記憶部（不図示）に記憶されている警告用映像ファイル又は警告用音声付映像ファイルを読み出し、当該ファイルをディスプレイに表示又はスピーカーから出力する。このように、携帯電話機１は、テレビ２が警告用映像ファイル又は警告用音声付映像ファイルを有している場合でも、テレビ２に警告を行わせることができる。
【０１２８】
また、テレビ２がオーディオ機器であり、携帯電話機１とそのオーディオ機器とが無線接続（例えばBluetooth接続）されていてもよい。この場合に、携帯電話機１が有するオーディオ・コンテンツをオーディオ機器で再生させ、その再生を停止させたときに、上記と同様の処理を行うことが可能である。つまり、オーディオ機器が、携帯電話機１が有するオーディオ・コンテンツの再生を停止してから所定の時間経過後に、携帯電話機１は、警告用音声ファイルをオーディオ機器に通知する。オーディオ機器は、この警告用音声ファイルを受信すると、そのファイルを再生する。これにより、オーディオ機器での携帯電話機１の使用が終了した後に、オーディオ機器による置き忘れ警告を行わせることができ、また、Bluetooth接続をオンにしたままにしておくことにより生じる電力消費を抑制することができる。
【０１２９】
〔本実施の形態に係る携帯電話機１の作用効果〕
以上のように、携帯電話機１（その制御方法）は、テレビ２による自端末の使用が終了したか否かを判定する使用状態判定部１１１（判定ステップ）と、使用状態判定部１１１により自端末の使用が終了したと判定された場合に、テレビ２と接続状態であれば、当該接続状態であることをテレビ２に警告させる警告制御部１１２（警告制御ステップ）と、を備えるものである。
【０１３０】
これにより、携帯電話機１自身が、テレビ２による自端末の使用終了の判断を行うため、携帯電話機１と連携して使用可能なテレビ２がその判断を行う必要がない。このため、携帯電話機１は、上記の使用終了の判断を行う機能を有していないテレビ２と連携して使用される場合であっても、テレビ２と接続状態であることを示す警告をテレビ２に行わせることができる。
【０１３１】
また、警告制御部１１２は、上記の警告をテレビ２（すなわち携帯電話機１以外の機器）に警告を行わせているので、警告主体を、置き忘れられやすい（放置されやすい）という特性を有する携帯電話機１からテレビ２に転換することができる。それにより、警告効果を高め、置き忘れ防止の効果を確実に高めることができる。
【０１３２】
さらに、使用状態判定部１１１は、テレビ２から待機信号を受信することにより、テレビ２が電源オフとなったと判断することにより、テレビ２による自端末の使用が終了したと判定する。これにより、携帯電話機１は、テレビ２の電源がオフとなったという、自端末がテレビ２により使用されない状況を確実に把握した上で、自端末の使用終了の判定を行うことができる。
【０１３３】
さらに、警告制御部１１２は、使用状態判定部１１１が上記の使用終了の判定を行った場合に、待機解除信号をテレビ２に送信する。これにより、テレビ２の電源オンとなるので、携帯電話機１は、テレビ２の状態の変化（電源オフから電源オン）を利用することにより、テレビ２と接続状態であることをテレビ２に警告させることができる。
【０１３４】
さらに、警告制御部１１２が警告用映像ファイル又は警告用音声付映像ファイルをテレビ２（映像表示機能及び音声出力機能を有する機器）に送信することにより、テレビ２にて映像表示（音声出力を伴う場合を含む）による警告を行わせることができる。このため、ユーザが、この警告を、テレビ２の電源がオンになったというだけでなく、警告用映像ファイル又は警告用音声付映像ファイルを視聴することでも確認することができるので、携帯電話機１は、ユーザに対してより確実に警告を行うことができる。
【０１３５】
さらに、テレビ２が警告用画像ファイル又は警告用音声付映像ファイルを記憶している場合には、警告制御部１１２は、テレビ２が警告用映像ファイル又は警告用音声付映像ファイルを表示又は出力するための警告出力指示をテレビ２に送信するだけで、テレビ２による映像表示（音声出力を伴う場合を含む）による警告を行わせることができる。なお、後述の実施の形態５及び実施の形態７においては、この警告出力指示として、テレビ２が警告用映像ファイル又は警告用音声付映像ファイルを表示又は出力する旨を示すリモコン信号が用いられる。
【０１３６】
さらに、警告制御部１１２は、携帯電話機１のディスプレイ（表示画面）よりも大きいテレビ２のディスプレイを利用して警告を行わせることができる。このため、テレビ２からある程度離れた場所にいるユーザに対しても、その警告に対する注意をひきやすくすることができ、警告効果をより高めることができる。
【０１３７】
さらに、警告制御部１１２は、テレビ２に警告させるとともに、表示部２１及び／またはスピーカー２２においても警告を行う。このため、複数の機器にて警告を行うことができるので、より警告効果を高めることができる。
【０１３８】
〔実施の形態２〕
次に、本発明の他の実施形態について図１、図７及び図８に基づいて説明すれば、以下のとおりである。なお、実施の形態１と同様の部材に関しては、同じ符号を付し、その説明を省略する。実施の形態１では、携帯電話機１が、自身の置き忘れをテレビ２に警告させるものであったが、警告のためにテレビ２を電源オンにするので、テレビ２がつきっぱなしのまま放置されてしまう虞がある。そこで、本実施の形態では、置き忘れ防止の警告をテレビ２に行わせるとともに、テレビ２が電源オンのまま放置されることを回避することが可能な携帯電話機１の一例について説明する。
【０１３９】
なお、本実施の形態に係る携帯電話機１が含まれる通信システム、及び、携帯電話機１の外観については、実施の形態１で説明した、図２に示す通信システム１０及び図３に示す外観と同じであるので、ここではその説明を省略する。
【０１４０】
〔携帯電話機１の構成〕
まず、図１を用いて、本実施の形態に係る携帯電話機１の内部構成について説明する。なお、実施の形態１で説明した部材について、本実施の形態においても同様の機能を有するものについては、その説明を省略する。
【０１４１】
使用状態判定部１１１は、警告制御部１１２が、通信制御部１１３を介して、置き忘れ防止の警告を行うためにテレビ２の電源オン及びテレビ２に警告用画像ファイルを表示させた後、さらに、所定の時間Ｔ２満了内に、携帯電話機１とテレビ２とのＨＤＭＩ接続が未接続になったか否かを判定するものである。使用状態判定部１１１は、ＨＤＭＩ接続が未接続にならなかったと判定した場合には、その旨を警告制御部１１２に通知する。
【０１４２】
警告制御部１１２は、通信制御部１１３を介して、警告用画像ファイルをテレビ２に表示させるための指示に基づくＣＥＣコマンドをテレビ２に送信させてから所定の時間（Ｔ２）、テレビ２との接続状態が維持されている場合には、テレビ２の電源オフするための指示に基づくＣＥＣコマンドをテレビ２に送信するものである。なお、警告制御部１１２は、警告用画像ファイルをテレビ２に表示させない場合（テレビ２をオンするだけで置き忘れ防止の警告をテレビ２に行わせる場合）には、テレビ２を電源オンにするための指示に基づくＣＥＣコマンドを、テレビ２に送信する。
【０１４３】
〔携帯電話機１における処理及び通信システム１０におけるシーケンス〕
次に、図７及び図８を用いて、携帯電話機１における処理について説明する。図７は、携帯電話機１の処理の一例を示すフローチャートであり、図８は、その処理の一例を示す携帯電話機１−テレビ２のＨＤＭＩ  ＣＥＣ処理シーケンスである。なお、Ｓ１１〜Ｓ１６の処理（Ｃ１１〜Ｃ１３のシーケンス）については、実施の形態１と同様であるので、その説明を省略する。
【０１４４】
Ｓ１６において、通信制御部１１３が警告用画像ファイルをテレビ２に出力すると、その旨をタイマー制御部１１４に通知する。タイマー制御部１１４は、この通知を受けると、タイマー１３を作動させ、所定の時間Ｔ２の計時を開始させる（Ｓ１７）。この所定の時間Ｔ２は、ユーザが、テレビ２が電源オンとなり、携帯電話機１が置き忘れていることを認識し、かつ、テレビ２からＨＤＭＩケーブルを抜き取るのに十分な時間に設定されていればよい。
【０１４５】
なお、タイマー制御部１１４が所定の時間Ｔ２の計時を開始させるタイミングは、警告用画像ファイルのテレビ２への出力の通知を受けた後に限られたものではない。通信制御部１１３は、警告用画像ファイルの出力タイミングと同時に当該通知を行って計時を開始（すなわち出力タイミングと同時に計時を開始）させてもよく、また、当該通知を行った後に警告画像用ファイルを出力（すなわち当該出力より前に計時を開始）させてもよい。
【０１４６】
タイマー制御部１１４は、所定の時間Ｔ２の計時を開始させると、その旨を使用状態判定部１１１に通知する。使用状態判定部１１１は、その通知を受けると、所定の時間Ｔ２満了内（所定の時間Ｔ２が経過する前）に、携帯電話機１とテレビ２とのＨＤＭＩ接続が未接続になったか否かを判定する（Ｓ１８）。使用状態判定部１１１が、通信制御部１１３にＨＤＭＩ接続の接続状態を確認させる処理については、Ｓ１３の処理と同様であるので、その説明は省略する。
【０１４７】
あるいは、使用状態判定部１１１は、所定の時間Ｔ２の計時を開始させた旨の通知を受けると、テレビ２の電源オフになったか否かを確認させるための確認指示を通信制御部１１３に送信する。通信制御部１１３は、この確認指示を受信すると、テレビ２から「Standby」コマンドを受信待機する。テレビ２から「Standby」コマンドを受信するということは、テレビ２の電源がオフされたことを意味している。したがって、通信制御部１１３は、テレビ２から「Standby」コマンドを受信した場合には、携帯電話機１−テレビ２間のＨＤＭＩ接続が未接続にしてもよい状態になったと判定し、その旨を使用状態判定部１１１に通知する。
【０１４８】
使用状態判定部１１１は、所定の時間Ｔ２の計時が終了した旨の通知をタイマー制御部１１４から受ける前に、通信制御部１１３から未接続になった旨の通知を受けなかった場合、所定の時間Ｔ２満了内に未接続にならなかった（接続状態に変化なく所定の時間Ｔ２が経過した）と判定する。
【０１４９】
使用状態判定部１１１が所定の時間Ｔ２内に未接続にならなかったと判定した場合（Ｓ１８でＮＯ）、警告制御部１１２にその旨を通知する。警告制御部１１２は、テレビ２の電源オフにするための指示を通信制御部１１３に送信する。通信制御部１１３は、その指示を受信すると、「Standby」コマンドを通信部１４からテレビ２に送信させる。テレビ２は、「Standby」コマンドを受信すると、自身の電源をオフにする。つまり、警告制御部１１２は、通信制御部１１３を介して、テレビ２の電源をオフにする（Ｓ１９、Ｃ１４）。
【０１５０】
つまり、警告制御部１１２は、「Active Source」コマンドをテレビ２に送信してから所定の時間（Ｔ２）、テレビ２との接続状態が維持されている場合には、テレビ２を待機状態とするための「Standby」コマンド（待機指示信号）をテレビ２に送信するものである。
なお、Ｓ１９においてテレビ２が電源オフになるので、少なくともテレビ２による警告表示も終了する。
【０１５１】
このように、警告制御部１１２は、テレビ２に電源オンして警告表示させた後に、所定の時間経過後、テレビ２の電源をオフにするので、ユーザが警告に気づかないときでも、テレビ２の電源をオフさせることができ、テレビ２の警告に利用されるときの電力の無駄な消費を抑制することができる。
【０１５２】
また、Ｓ１８において、使用状態判定部１１１は、所定の時間Ｔ２が経過した旨の通知を通信制御部１１３から受ける前に、通信制御部１１３から未接続になった旨の通知を受けた場合には、所定の時間Ｔ２満了内に未接続になったと判定する。この場合（Ｓ１８でＹＥＳ）、既にＨＤＭＩケーブルがテレビ２から取り外され、携帯電話機１からテレビ２をＨＤＭＩで制御することは不可能となっているか、テレビ２の電源がオフとなっており、置き忘れ防止の警告後にテレビが電源オンされたまま放置されるという状況を回避できているので、図７に示す携帯電話機１の処理を終了させる。このとき、タイマー制御部１１４は、所定の時間Ｔ２の計時を終了させる。
【０１５３】
なお、Ｓ１９（Ｃ１４）では、携帯電話機１は、所定の時間Ｔ２経過後にテレビ２の電源がオフにしているが、このとき送信する「Standby」コマンドの代わりに、所定の時間Ｔ２経過後にテレビ２自身が電源をオフするための所定の時間Ｔ２あるいは所定の時刻を含むベンダ・コマンドを送信してもよい。
【０１５４】
また、テレビ２は、所定の時間Ｔ２を記憶しており、Ｓ１５（Ｃ１３）にて、警告表示時に携帯電話機１から送出されるベンダ・コマンドを受信してから、その記憶している時間Ｔ２経過後に、自らの電源をオフするようにしてもよい。この場合、携帯電話機１によるＳ１７以降の処理は省略しても、置き忘れ警告後のテレビ２の電源をオフにすることができる。
【０１５５】
〔本実施の形態に係る携帯電話機１の作用効果〕
以上のように、本実施の形態では、実施の形態１の作用効果に加え、警告制御部１１２が、所定の時間（Ｔ２）、テレビ２との接続状態が維持されている場合には、待機指示信号をテレビ２に送信するので、当該時間Ｔ２が経過した後にはテレビ２の電源をオフにすることができる。したがって、テレビ２の警告に利用されるときの電力の無駄な消費を抑制することができる。また、所定の時間Ｔ２経過後にテレビ２が電源オンされたまま放置されるという状況を回避できる。
【０１５６】
〔実施の形態３〕
次に、本発明の他の実施形態について図１、図４及び図５に基づいて説明すれば、以下のとおりである。なお、実施の形態１または２と同様の部材に関しては、同じ符号を付し、その説明を省略する。実施の形態１では、テレビ２による携帯電話機１の使用終了の判断を、接続先のテレビ２が電源オフになったか否かにより行うものであったが、接続先機器（通信システム１０ではテレビ２）への入力または接続先機器からの出力が他機器（通信システム１０では録画再生装置３）に切り替えられた（接続先機器の入出力を他機器に取られた）ことを検出したか否かにより行う場合について説明する。
【０１５７】
すなわち、テレビ２は、録画再生装置３（他の外部機器）とも連携して使用可能に接続されており、携帯電話機１及び録画再生装置３の何れか一方を使用している場合には他方からの入力を無効とするものである。
【０１５８】
なお、本実施の形態に係る携帯電話機１が含まれる通信システム、携帯電話機１の外観及びその構成については、実施の形態１で説明した、図２に示す通信システム１０、図３に示す外観及び図１に示す携帯電話機１の構成と同じであるので、ここではその説明を省略する。
【０１５９】
〔携帯電話機１における処理及び通信システム１０におけるシーケンス〕
図４及び図５を用いて、携帯電話機１における処理について説明する。この処理では、テレビ２において入力切替（テレビ２による使用の切替）が行われるときには、テレビ２の電源が既にオンになっていることを想定している。この場合、Ｓ１４（Ｃ１２）にて、携帯電話機１が「Image View On」コマンド又は「Text View On」コマンドを送出しているが、テレビ２は、既に電源オンとなっているので、このコマンドを受信しても特別な処理を行わず、そのままの状態（電源オン）を維持するだけである。
【０１６０】
まず、ユーザが、例えば録画再生装置３の録画ボタンを押した（録画再生装置３への操作を行った）ことにより、ＨＤＭＩのワンタッチプレイ機能が動作し、テレビ２への入力がＨＤＭＩ接続されている録画再生装置３に切り替えられる。この場合、テレビ２は、録画再生装置３のコンテンツ再生（録画再生装置３への操作）が有効になったことを示すＣＥＣコマンドである「Active Source」コマンドを録画再生装置１から受信するとともに、携帯電話機１も、このコマンドを、録画再生装置１からテレビ２を介して受信する。
【０１６１】
携帯電話機１では、通信部１４がこのＣＥＣコマンド（「Active Source」コマンド）を受信する（Ｓ１、Ｃ１１）。実際には、通信制御部１１３が、通信部１４が受信したＣＥＣコマンドを解析することで、このＣＥＣコマンドが「Active Source」コマンドであると判断し、使用状態判定部１１１及びタイマー制御部１１４に、テレビ２の入力が携帯電話機１から録画再生装置３に切り替わった旨を通知する。
【０１６２】
タイマー制御部１１４は、その通知を受けると、タイマー１３を作動させ、所定の時間Ｔ１の計時を開始させる（Ｓ１２）。その後の処理は、実施の形態１で説明したとおりであるので、その説明については省略する。つまり、本実施の形態では、使用状態判定部１１１は、テレビ２における、携帯電話機１の使用から録画再生装置３の使用への切替を示す「Active Source」コマンド（使用切替信号）を受信した場合に、テレビ２による携帯電話機１の使用が終了したと判定することになる。
【０１６３】
このように、本実施の形態に係る携帯電話機１では、使用状態判定部１１１は、テレビ２を介して送信される録画再生装置３からの「Active Source」コマンドを受信することで、テレビ２の入力が携帯電話機１から録画再生装置３に切り替わり、テレビ２による携帯電話機１の使用が不可能な状態になったと判断し、テレビ２による携帯電話機１の使用が終了したと判定する。このため、携帯電話機１は、テレビ２が電源オフになったことをトリガーとしてこの判定を行う実施の形態１と同様、テレビ２に携帯電話機１が接続されたままの状態で置き忘れられることを確実に防止することができる。
【０１６４】
なお、Ｓ１１におけるテレビ２の入力切替は、録画再生装置３への操作によって行われていたが、これに限らず、例えばユーザがテレビ２のリモコン４を用いて、テレビ２の入力切替操作を行い、録画再生装置３からの入力を有効にすることも可能である。この場合、携帯電話機１では、通信制御部１１３が通信部１４を介して「Active Source」コマンドではなく、「Set Stream Path」コマンド（使用切替信号）を受信することによって、使用状態判定部１１１は、テレビ２による携帯電話機１の使用が終了したと判定する。
【０１６５】
〔本実施の形態に係る携帯電話機１の作用効果〕
以上のように、本実施の形態では、実施の形態１、２の作用効果に加え、以下のような作用効果を奏する。
【０１６６】
すなわち、携帯電話機１及びテレビ２とのＨＤＭＩ接続においては、使用状態判定部１１１は、テレビ２から使用切替信号を受信した場合に、テレビ２により録画再生装置３の使用が開始されると、もはや携帯電話機１をテレビ２に接続しておく必要はない。このため、使用状態判定部１１１は、使用切替信号を受信することで、テレビ２による自端末の使用が終了したと判定する。
【０１６７】
これにより、携帯電話機１は、テレビ２により録画再生装置３の使用が開始されたために自端末が使用されなくなったという、自端末がテレビ２により使用されない状況を確実に把握した上で、自端末の使用終了の判定を行うことができる。
【０１６８】
〔実施の形態４〕
次に、本発明の他の実施形態について図１、図９〜図１１に基づいて説明すれば、以下のとおりである。なお、実施の形態１〜３と同様の部材に関しては、同じ符号を付し、その説明を省略する。実施の形態１では、テレビ２に携帯電話機１と録画再生装置３とが接続されている通信システム１０において、携帯電話機１が、テレビ２による自端末の使用終了の判断を行うものであった。本実施の形態では、これらの機器の接続形態が通信システム１０と異なる通信システムにおいて、携帯電話機１が、録画再生装置３（第２外部機器）による自端末の使用終了の判断を行って、置き忘れ防止の警告をテレビ２（第１外部機器）に行わせる場合について説明する。
【０１６９】
なお、本実施の形態に係る携帯電話機１の外観については、実施の形態１で説明した、図３に示す外観と同じであるので、ここではその説明を省略する。
【０１７０】
〔通信システム１０ａの概略構成〕
まず、本実施の形態に係る通信システム１０ａについて、図９を用いて説明する。図９は、本実施の形態に係る通信システム１０ａの概略構成の一例を示す図である。
【０１７１】
通信システム１０ａは、実施の形態１の通信システム１０と同様、携帯電話機１、テレビ２、録画再生装置３及びリモコン４を備えている。携帯電話機１は、録画再生装置３とＨＤＭＩ接続されている。また、録画再生装置３は、テレビ２ともＨＤＭＩ接続されている。つまり、携帯電話機１が録画再生装置３にＨＤＭＩ接続され、テレビ２にはＨＤＭＩ接続されていない点で、通信システム１０とは異なる。
【０１７２】
例えば、通信システム１０ａでは、携帯電話機１により、録画再生装置３に記録されたコンテンツが再生され、ユーザがそのコンテンツを視聴している、または、そのコンテンツを録画している場合に、携帯電話機１は、定期的に録画再生装置３の状態を確認し、特定の状態が終了もしくは特定の状態に遷移した場合に、録画再生装置３による携帯電話機１の使用終了の判断を行う。そして、携帯電話機１は、使用終了と判断した場合にはテレビ２に置き忘れ防止の警告を行わせる。つまり、通信システム１０ａでは、携帯電話機１と連携して使用される接続先機器が録画再生装置３であり、携帯電話機１が置き忘れの警告を行わせる接続先機器がテレビ２となっており、連携して使用していた接続先機器（録画再生装置３）以外の機器（テレビ２）に警告を行わせている。本実施の形態では、例えば録画再生装置３に記憶されているコンテンツを携帯電話機１に録画または再生している状態を、携帯電話機１が録画再生装置３と連携して使用されている状態とする。なお、携帯電話機１に記憶されているコンテンツを録画再生装置３に録画または再生している状態を、携帯電話機１が録画再生装置３と連携して使用されている状態としてもよい。
【０１７３】
〔携帯電話機１の構成〕
次に、図１を用いて、本実施の形態に係る携帯電話機１の内部構成について説明する。なお、実施の形態１で説明した部材について、本実施の形態においても同様の機能を有するものについては、その説明を省略する。
【０１７４】
使用状態判定部１１１は、録画再生装置３による携帯電話機１の使用が終了したか否かを判定し、その使用が終了したと判定した場合には、警告制御部１１２にその旨を通知するものである。この判定は、使用状態判定部１１１が、所定の時間Ｔ３毎に（定期的）に、録画再生装置３に当該装置の状態（コンテンツを携帯電話機１に録画している状態か録画が終了した状態か）を問い合せて、録画再生装置３の状態が停止状態（つまり携帯電話機１への録画終了の状態）となったか否かを判定することによって行われる。使用状態判定部１１１は、録画再生装置３が停止状態になった判定した場合には、その旨を警告制御部１１２に通知する。
【０１７５】
つまり、使用状態判定部１１１は、録画再生装置３とのファイルの送受信（この場合は、録画再生装置３からのファイル受信）が停止状態となったことを示す後述の「Deck Status（Stop）」コマンド（停止信号）を受信した場合に、録画再生装置３による自端末の使用が終了したと判定するものである。
【０１７６】
警告制御部１１２は、使用状態判定部１１１により録画再生装置３による携帯電話機１の使用が終了したと判定された場合に、通信制御部１１３に対してテレビ２の電源オンや警告表示を行うための指示（命令）を通知して、録画再生装置３と接続状態であれば、その旨をテレビ２に警告させるものである。
【０１７７】
〔携帯電話機１における処理及び通信システム１０ａにおけるシーケンス〕
次に、図１０及び図１１を用いて、携帯電話機１における処理について説明する。図１０は、携帯電話機１の処理の一例を示すフローチャートであり、図１１は、その処理の一例を示す録画再生装置３−携帯電話機１−テレビ２のＨＤＭＩ  ＣＥＣ処理シーケンスである。なお、Ｓ２４〜Ｓ２６の処理（Ｃ２７及びＣ２８のシーケンス）については、実施の形態１（図４に示すＳ１４〜Ｓ１６の処理、並びに、図５に示すＣ１２及びＣ１３のシーケンス）と同様であるので、その説明を省略する。また、この処理では、携帯電話機１に、録画再生装置３に記録されているコンテンツを録画しているものとして説明する。
【０１７８】
まず、携帯電話機１による、録画再生装置３に記録されているコンテンツの録画が開始されると、タイマー制御部１１４は、タイマー１３を作動させ、所定の時間Ｔ３の計時を開始させる（Ｓ２１）。この所定の時間Ｔ３は、定期的に録画再生装置３の状態変化（この場合はコンテンツの録画終了）の通知を受けるのに十分な時間で、かつ、録画再生装置３で生じた状態変化と携帯電話機１におけるその状態変化の確認との間に大幅な時間差（例えば数秒〜数十秒）が生じない程度の時間に設定されていればよい。
【０１７９】
タイマー制御部１１４は、所定の時間Ｔ３の計時を開始させると、その旨を使用状態判定部１１１に通知する。使用状態判定部１１１は、その通知を受けると、録画再生装置３に当該装置の状態を問い合せて（Ｓ２２）、録画再生装置３の状態が停止状態となったか否かを判定する（Ｓ２３）。
【０１８０】
具体的には、使用状態判定部１１１は、録画再生装置３の状態を問い合せるための指示を通信制御部１１３に送信する。通信制御部１１３は、この指示を受信すると、録画再生装置３の状態を問い合せるためのＣＥＣコマンドである「Give Deck Status」コマンドを録画再生装置３に送信する（Ｃ２１）。録画再生装置３は、「Give Deck Status」コマンドを受信すると、自身の状態を示すＣＥＣコマンドを送信する。例えば、録画再生装置３が自身に記録されているコンテンツを携帯電話機１に録画中であれば、その旨を示すＣＥＣコマンドである「Deck Status（Play）」コマンドを送信し、録画が終了すれば、その旨を示すＣＥＣコマンドである「Deck Status（Stop）」コマンドを送信する。
【０１８１】
つまり、通信制御部１１３は、Ｃ２１において、通信部１４を介して「Give Deck Status」コマンドを録画再生装置３に送信し、Ｃ２２において、録画再生装置３がコンテンツの携帯電話機１に録画中であるので、通信部１４を介して「Deck Status（Play）」コマンドを受信し、解析した結果（録画中）を使用状態判定部１１１に通知する。その後、タイマー制御部１１４は、所定の時間Ｔ３が経過した場合には、その旨を使用状態判定部１１１に通知し、使用状態判定部１１１は、この通知を受けると、録画再生装置３の状態を再度問い合せるための指示を通信制御部１１３に送信する。なお、タイマー制御部１１４は、所定の時間Ｔ３が経過すると、再度所定の時間Ｔ３の計時を開始する。
【０１８２】
通信制御部１１３は、Ｃ２１と同様、通信部１４を介して「Give Deck Status」コマンドを録画再生装置３に送信し（Ｃ２３）、Ｃ２４においても録画再生装置３が携帯電話機１への録画中なので、通信部１４を介して「Deck Status（Play）」コマンドを受信する。
【０１８３】
録画再生装置３が携帯電話機１への録画を終了すると、通信制御部１１３は、Ｃ２５において通信制御部１１３が録画再生装置３に送信した「Give Deck Status」コマンドに対するレスポンスとして、「Deck Status（Stop）」コマンドを受信する（Ｃ２６）。通信制御部１１３は、解析した結果（停止状態）を使用状態判定部１１１に通知する。
【０１８４】
つまり、使用状態判定部１１１は、録画再生装置３の状態が、携帯電話機１へ録画中の状態から、携帯電話機１への録画終了の状態に切り替わるまで、所定の時間Ｔ３経過毎にその状態を問い合せるための指示を通信制御部１１３に送信する。通信制御部１１３は、「Deck Status（Stop）」コマンドを受信するまで（「Deck Status（Play）」コマンドを受信する限り）、所定の時間Ｔ３経過毎に「Give Deck Status」コマンドを録画再生装置３に送信する。図１１に示すシーケンスで言えば、使用状態判定部１１１は、録画再生装置３が録画中（Play）であれば、所定の時間Ｔ３毎に定期的に録画再生装置３への問い合わせを行うが（Ｓ２１〜Ｓ２３でＮＯ、Ｃ２１〜Ｃ２５）、録画再生装置３からの「Deck Status（Stop）」コマンドの解析結果により、録画再生装置３が録画を終了して停止状態（Stop）になったと判定する（Ｓ２３、Ｃ２６）。
【０１８５】
使用状態判定部１１１は、録画再生装置３の状態が停止状態となったか否かを判定した場合（Ｓ２３でＹＥＳ）、警告制御部１１２にその旨を通知する。その後の警告制御部１１２及び通信制御部１１３によるテレビ２の電源オンにするための処理が行われる（Ｓ２４〜Ｓ２６、Ｃ２７及びＣ２８）。
【０１８６】
このように、携帯電話機１とテレビ２とが直接ＨＤＭＩ接続されておらず、携帯電話機１が、録画再生装置３の状態変化をトリガーとして、録画再生装置３による携帯電話機１の使用が終了したことを判断する場合であっても、実施の形態１と同様の効果を奏することができる。すなわち、携帯電話機１は、上記の状態変化をトリガーとして、テレビ２が電源オンになったというテレビ２の状況変化を作りだすことによって、ユーザの注意をひくことができ、録画再生装置３に携帯電話機１が接続されたままの状態で置き忘れられることを確実に防止することができる。
【０１８７】
〔本実施の形態に係る携帯電話機１の作用効果〕
以上のように、本実施の形態に係る携帯電話機１（その制御方法）は、録画再生装置３による自端末の使用が終了したか否かを判定する使用状態判定部１１１（判定ステップ）と、使用状態判定部１１１により自端末の使用が終了したと判断された場合に、録画再生装置３と接続状態であれば、当該接続状態であることをテレビ２に警告させる警告制御部１１２（警告制御ステップ）と、を備えるものである。
【０１８８】
これにより、携帯電話機１自身が、録画再生装置３による自端末の使用終了の判断を行うため、携帯電話機１と連携して使用可能な録画再生装置３がその判断を行う必要がない。このため、携帯電話機１は、上記の使用終了の判断を行う機能を有していない録画再生装置３と連携して使用される場合であっても、録画再生装置３と接続状態であることを示す警告を、報知機能を有するテレビ２に行わせることができる。
【０１８９】
また、実施の形態１と同様、警告主体を、置き忘れられやすい（放置されやすい）という特性を有する携帯電話機１からテレビ２に転換することができる。それにより、警告効果を高め、置き忘れ防止の効果を確実に高めることができる。
【０１９０】
さらに、使用状態判定部１１１は、録画再生装置３から停止信号を受信して、録画再生装置３とのファイル（データ）の送受信が停止状態となったと判断することにより、録画再生装置３による自端末の使用が終了したと判定する。これにより、携帯電話機１は、ファイルの送受信が停止状態になったという、自端末が録画再生装置３により使用されない状況を確実に把握した上で、自端末の使用終了の判定を行うことができる。
【０１９１】
さらに、実施の形態１と同様、携帯電話機１は、待機解除信号をテレビ２に送信することにより、テレビ２の状態の変化（電源オフから電源オン）を利用することにより、テレビ２と接続状態であることをテレビ２に警告させることができる。
【０１９２】
さらに、テレビ２による警告後、実施の形態２と同様の処理（図７のＳ１７〜Ｓ１９）を行わせることが可能である。この場合、テレビ２の警告に利用されるときの電力の無駄な消費を抑制することができる。また、所定の時間Ｔ２経過後にテレビ２が電源オンされたまま放置されるという状況を回避できる。
【０１９３】
さらに、実施の形態１と同様、警告制御部１１２が警告用映像ファイル又は警告用音声付映像ファイルをテレビ２（画像表示機能及び音声出力機能を有する機器）に送信することにより、テレビ２にて映像表示（音声出力を伴う場合を含む）による警告を行わせることができる。
【０１９４】
さらに、実施の形態１と同様、テレビ２が警告用画像ファイル又は警告用音声付映像ファイルを記憶している場合にも、警告制御部１１２は、テレビ２による映像表示（音声出力を伴う場合を含む）による警告を行わせることができる。
【０１９５】
さらに、実施の形態１と同様、警告制御部１１２は、携帯電話機１のディスプレイよりも大きいテレビ２のディスプレイを利用して警告を行わせるので、テレビ２からある程度離れた場所にいるユーザに対しても、その警告に対する注意をひきやすくすることができる。
【０１９６】
さらに、実施の形態１と同様、警告制御部１１２は、テレビ２に警告させるとともに、表示部２１及び／またはスピーカー２２においても警告を行う構成であってもよい。このため、複数の機器にて警告を行うことができるので、より警告効果を高めることができる。
【０１９７】
〔実施の形態５〕
次に、本発明の他の実施形態について図１２〜図１４に基づいて説明すれば、以下のとおりである。なお、実施の形態１〜４と同様の部材に関しては、同じ符号を付し、その説明を省略する。実施の形態１〜４では、携帯電話機１による置き忘れ防止の警告としてのテレビ２の電源オン及びテレビ２への警告用画像ファイルの送信は、ＨＤＭＩによって行われていたが、本実施の形態では、テレビ２（第１外部機器）の電源オンを、例えば携帯電話機１のＩＲ（Infrared）リモコン機能に対応している場合には、その機能を用いて行う構成について説明する。すなわち、本実施の形態では、実施の形態４と同様に、連携して使用していた録画再生装置３（第２外部機器）とは異なる機器であるテレビ２に警告を行わせるものであるが、その警告をＨＤＭＩとは異なる通信方式を用いてテレビ２に行わせるものである。
【０１９８】
なお、本実施の形態に係る携帯電話機１の外観については、実施の形態１で説明した、図３に示す外観と同じであるので、ここではその説明を省略する。
【０１９９】
〔通信システム１０ｂの概略構成〕
まず、本実施の形態に係る通信システム１０ｂについて、図１２を用いて説明する。図１２は、本実施の形態に係る通信システム１０ｂの概略構成の一例を示す図である。
【０２００】
通信システム１０ｂは、実施の形態１の通信システム１０と同様、携帯電話機１、テレビ２及び録画再生装置３を備えている。携帯電話機１は、録画再生装置３とＨＤＭＩ接続されている。また、録画再生装置３は、テレビ２とは接続されていないか、制御信号をもたないＲＣＡケーブルで接続されている。携帯電話機１は、ＩＲリモコン機能を有しており、テレビ２の制御をＩＲリモコン信号にて行う。このため、携帯電話機１は、ＩＲリモコン信号がテレビ２に届く範囲内に存在するものとする。
【０２０１】
通信システム１０ｂでは、実施の形態４の通信システム１０ａと同様、携帯電話機１と連携して使用される接続先機器が録画再生装置３であり、携帯電話機１が置き忘れの警告を行わせる機器（無線接続可能な機器）がテレビ２となっており、連携して使用していた接続先機器（録画再生装置３）以外の機器（テレビ２）に警告を行わせている。
【０２０２】
なお、携帯電話機１がリモコン機能を有しているので、リモコン４（図２）は必須の構成ではないが、通信システム１０ｂに備えられていてもよい。
【０２０３】
〔携帯電話機１の構成〕
次に、図１３を用いて、本実施の形態に係る携帯電話機１の内部構成について説明する。図１３は、本実施の形態に係る携帯電話機１の構成の一例を示す図である。実施の形態１〜４で説明した部材について、本実施の形態においても同様の機能を有するものについては、その説明を省略する。
【０２０４】
第２通信部１５は、第２通信制御部１１５の制御を受けて、ＨＤＭＩとは異なる通信方式に従ったデータまたは制御信号の入出力を行うものである。ここでは、第２通信制御部１１５が、ＩＲリモコン機能に従った通信制御を行うので、第２通信部１５は、ＩＲリモコン信号の入出力を行うことが可能なＩＲ通信部となっている。
【０２０５】
制御部１１には、第２通信制御部１１５が備えられている。第２通信制御部１１５は、第２通信部１５におけるＩＲ通信の規格に従った信号の入出力に関する解析及び制御を行うものである。
【０２０６】
また、制御部１１の警告制御部１１２は、使用状態判定部１１１により録画再生装置３による携帯電話機１の使用が終了したと判定された場合に、第２通信制御部１１５に対してテレビ２の電源オンや警告表示を行うための指示（命令）を通知して、録画再生装置３と接続状態であれば、その旨をテレビ２に警告させる。つまり、警告制御部１１２は、テレビ２の待機状態を解除するための待機解除信号を、携帯電話機１が有する、テレビ２の遠隔操作機能を用いて送信するものである。
【０２０７】
〔携帯電話機１における処理及び通信システム１０ｂにおけるシーケンス〕
次に、図１４を用いて、携帯電話機１における処理について説明する。図１４は、携帯電話機１の処理の一例を示すフローチャートである。この処理では、実施の形態４と同様、携帯電話機１に、録画再生装置３に記録されているコンテンツを録画しているものとし、テレビ２が、録画再生装置３により携帯電話機１が使用されているときには待機状態となっているものとする。また、Ｓ３１〜Ｓ３３の処理については、図１０に示すＳ２１〜Ｓ２３の処理及び図８に示すＣ１１〜Ｃ１６と同様であるので、その説明を省略する。
【０２０８】
Ｓ３３において、使用状態判定部１１１は、録画再生装置３の状態が停止状態となったか否かを判定した場合（Ｓ３３でＹＥＳ）、警告制御部１１２にその旨を通知する。警告制御部１１２は、テレビ２の電源オンにするための指示を第２通信制御部１１５に送信する。第２通信制御部１１５は、その指示を受信すると、ＩＲリモコン機能に従ったテレビ２の電源オンを示すＩＲリモコン信号を、第２通信部１５を介してテレビ２に送信する。テレビ２は、このＩＲリモコン信号を受信することにより、自身の電源をオンにする。つまり、警告制御部１１２は、第２通信制御部１１５を制御することにより、ＩＲリモコン機能を用いてテレビ２の電源をオンにする（Ｓ３４）。
【０２０９】
このように、携帯電話機１とテレビ２とがＨＤＭＩ接続されておらず、ＨＤＭＩとは異なる通信方式を用いてテレビ２を制御する場合であっても、実施の形態４と同様の効果を奏することができる。すなわち、携帯電話機１は、録画再生装置３の状態変化をトリガーとして、テレビ２が電源オンになったというテレビ２の状況変化を作りだすことによって、ユーザの注意をひくことができ、録画再生装置３に携帯電話機１が接続されたままの状態で置き忘れられることを確実に防止することができる。
【０２１０】
なお、警告制御部１１２は、通信制御部１１３を制御して、テレビ２の電源オンを示すＩＲリモコン信号をテレビ２に送信しているが、これに限らず、記憶部１２に記憶されている警告用画像ファイルとその表示指示を当該ＩＲリモコン信号に含めて送信してもよい。この場合、置き忘れ防止の警告を、テレビ２の電源オンだけでなく、テレビ２に警告用画像ファイルを表示させることができ、実施の形態１等と同様、よりユーザの注意を引くことができる。
【０２１１】
また、上記では、ＨＤＭＩの代わりとして、ＩＲリモコン機能を使用してテレビ２に警告を行わせる場合について説明したが、これに限られたものではない。例えば、携帯電話機１に無線ＬＡＮ（Local Area Network）が搭載されていれば、ＬＡＮ接続されているＰＣに警告させることができる。その他、携帯電話機１と警告させる機器とがＤＬＮＡ（Digital Living Network Alliance）に準拠したネットワーク等のホーム・ネットワークを用いることが可能であれば、あらゆる機器（例えばよりユーザの近くにあることが予想される機器等）に警告を行わせることが可能となる。この場合、複数の機器にて警告を行うことができるので、ユーザが通信システム１０ｂに備えられた各機器から離れた位置にいる場合であっても、警告を確認することができる可能性が高まるので、より確実に携帯電話機１の置き忘れ防止を行うことができる。
【０２１２】
〔本実施の形態に係る携帯電話機１の作用効果〕
以上のように、携帯電話機１のリモコン機能を用いて、テレビ２に置き忘れの警告を行わせることによっても、実施の形態４と同様の作用効果を奏することができる。
【０２１３】
〔実施の形態６〕
次に、本発明の他の実施形態について図１５〜図１７に基づいて説明すれば、以下のとおりである。なお、実施の形態１〜５と同様の部材に関しては、同じ符号を付し、その説明を省略する。実施の形態１〜５では、テレビ２に置き忘れ防止の警告を行わせていたので、その警告を、テレビ２に警告用画像ファイルの表示させて行わせていたが、これに限らず、例えば警告用音声ファイルを用いて行わせてもよい。本実施の形態では、警告用画像ファイルを表示可能なディスプレイを持たない機器、例えば固定電話機５（第１外部機器）に、警告用音声ファイルを用いた警告を行わせる場合について説明する。
【０２１４】
なお、本実施の形態に係る携帯電話機１の外観については、実施の形態１で説明した、図３に示す外観と同じであるので、ここではその説明を省略する。
【０２１５】
〔通信システム１０ｃの概略構成〕
まず、本実施の形態に係る通信システム１０ｃについて、図１５を用いて説明する。図１５は、本実施の形態に係る通信システム１０ｃの概略構成の一例を示す図である。
【０２１６】
通信システム１０ａは、携帯電話機１、録画再生装置３（第２外部機器）、及び、電話回線網を用いて他の電話機との通信を行うことが可能な固定電話機５を備えている。携帯電話機１は、録画再生装置３とＨＤＭＩ接続されている。録画再生装置３は、固定電話機５とは接続されていない。また、携帯電話機１と固定電話機５とは、電話回線網により接続されている。なお、固定電話機５の構成は既知であるので、具体的な説明については省略する。
【０２１７】
通信システム１０ｃでは、携帯電話機１と連携して使用される接続先機器が録画再生装置３であり、携帯電話機１が置き忘れの警告を行わせる機器が固定電話機５となっており、連携して使用していた接続先機器（録画再生装置３）以外の機器（固定電話機５）に警告を行わせている。固定電話機５に警告を行わせる場合には、携帯電話機１が、固定電話機５を発呼し、通話状態となったら警告用音声ファイルを再生する。
【０２１８】
〔携帯電話機１の構成〕
次に、図１６を用いて、本実施の形態に係る携帯電話機１の内部構成について説明する。図１６は、本実施の形態に係る携帯電話機１の構成の一例を示す図である。実施の形態１〜４で説明した部材について、本実施の形態においても同様の機能を有するものについては、その説明を省略する。
【０２１９】
記憶部１２には、実施の形態１と同様の機能を有するが、固定電話機５の電話番号と、ユーザへの置き忘れ警告を行うときの固定電話機５を発呼する最大回数を示す最大呼び出し回数と、警告用音声ファイルとを記憶している。これらの電話番号、最大呼び出し回数及び警告用音声ファイルについては、ユーザが設定及び変更することが可能である。
【０２２０】
制御部１１には、無線制御部１１６が備えられている。無線制御部１１６は、無線部２４を介して、ＳＩＰ（Session Initiation Protocol）、ＲＴＰ（Real-time Transport Protocol）等の呼制御プロトコルに従って基地局との通信制御を行うものである。これにより、携帯電話機１は、固定電話機５に発呼信号及び警告用音声ファイルを送信することができる。
【０２２１】
警告制御部１１２は、使用状態判定部１１１により録画再生装置３による携帯電話機１の使用が終了したと判定された場合に、無線制御部１１６に対して、固定電話機５の発呼及び警告音声ファイルの再生を行うための指示（命令）を通知して、録画再生装置３と接続状態であることを固定電話機５に警告させる。つまり、警告制御部１１２は、固定電話機５を発呼するための発呼信号を固定電話機５に送信し、最大呼び出し回数内に、固定電話機５が発呼信号に応じた場合には、携帯電話機１が録画再生装置３と接続状態であることを示す警告用音声ファイルを再生するものである。
【０２２２】
〔携帯電話機１における処理及び通信システム１０ｃにおけるシーケンス〕
次に、図１７を用いて、携帯電話機１における処理について説明する。図１７は、携帯電話機１の処理の一例を示すフローチャートである。この処理では、実施の形態４と同様、携帯電話機１に、録画再生装置３に記録されているコンテンツを録画しているものとし、Ｓ４１〜Ｓ４３の処理については、図１０に示すＳ２１〜Ｓ２３の処理及び図８に示すＣ１１〜Ｃ１６と同様であるので、その説明を省略する。
【０２２３】
Ｓ４３において、使用状態判定部１１１は、録画再生装置３の状態が停止状態となったか否かを判定した場合（Ｓ４３でＹＥＳ）、警告制御部１１２にその旨を通知する。警告制御部１１２は、固定電話機５を発呼するための指示を無線制御部１１６に送信する。無線制御部１１６は、この指示を受信すると、記憶部１２から固定電話機５の電話番号及び最大呼び出し回数を読み出し、固定電話機５を発呼するための発呼信号を、固定電話機５に送信する。つまり、警告制御部１１２は、無線制御部１１６を制御して、固定電話機５（指定の固定電話機）を発呼する（Ｓ４４）。
【０２２４】
その後、無線制御部１１６は、指定の最大呼び出し回数内に、固定電話機５が発呼に応じたか否かを判定する（Ｓ４５）。無線制御部１１６は、最大呼び出し回数内に発呼に対するレスポンスを固定電話機５から受信した（固定電話機５が発呼に応じた）場合（Ｓ４５でＹＥＳ）、携帯電話機１と固定電話機５とが通話可能な状態になったものと判断し、その旨を警告制御部１１２に通知する。警告制御部１１２は、その通知を受けると、警告用音声ファイルを再生するための指示を無線制御部１１６に送信する。
【０２２５】
無線制御部１１６は、その指示を受信すると、記憶部１２から警告用音声ファイルを読み出し、再生する。つまり、警告制御部１１２は、無線制御部１１６を制御して、固定電話機５に置き忘れ防止の警告（警告アナウンス）を行わせる（Ｓ４６）。このとき、固定電話機５では、警告用音声ファイルが再生され、例えば「携帯電話機が録画再生装置と接続されています」などの音声が出力される。また、Ｓ４５において固定電話機５が最大呼び出し回数内に発呼に応じなかった場合には（Ｓ４５でＮＯ）、図１７に示す処理を終了する。
【０２２６】
このように、たとえディスプレイを備えていない機器であっても、音声による警告を行わせることにより、実施の形態１等と同様の効果を奏することができる。すなわち、携帯電話機１は、録画再生装置３の状態変化をトリガーとして、固定電話機５を発呼させ、また、警告用音声ファイルを再生することによって、ユーザの注意をひくことができ、録画再生装置３に携帯電話機１が接続されたままの状態で置き忘れられることを確実に防止することができる。
【０２２７】
なお、警告用音声ファイルの再生時間または再生回数が予め設定されている場合には、警告制御部１１２は、警告用音声ファイルを再生するための指示を送信した後（送信と同時または送信直前でもよい）に、設定された再生時間または再生回数に達した場合には、再生を停止するための指示を無線制御部１１６に送信してもよい。この場合、警告制御部１１２は、実施の形態２と同様、ユーザが警告に気づかないときでも、警告用音声ファイルの再生を停止することができ、固定電話機５の警告に利用されるときの電力の無駄な消費を抑制することができる。
【０２２８】
また、固定電話機５には少なくとも１台の子機（不図示）が接続され、例えばユーザの自宅内の各部屋に設置されていてもよい。この場合、無線制御部１１６は、Ｓ４５での判定を、固定電話機５及び子機の何れかが発呼に応じることによる、発呼信号に対するレスポンスを受信したか否かにより行う。また、Ｓ４５にてユーザが子機を通話状態とした場合には、Ｓ４６では、固定電話機５は、当該子機に置き忘れ防止の警告を行わせる。
【０２２９】
〔本実施の形態に係る携帯電話機１の作用効果〕
以上のように、本実施の形態では、実施の形態４及び５の作用効果に加え、以下のような作用効果を奏する。
【０２３０】
すなわち、警告制御部１１２は、使用状態判定部１１１が上記の使用終了の判定を行った場合に、発呼信号を固定電話機５に送信し、最大呼び出し回数内にユーザがこの発呼に応じた場合には、警告用音声ファイルを再生する。これにより、固定電話機５の受話器をとったユーザは、自端末が録画再生装置３と接続状態であることを示す警告を、固定電話機５を介して確認することができる。このため、携帯電話機１は、たとえ画像表示機能を有していない機器であっても、音声を用いることにより、当該機器に警告を行わせることができる。
【０２３１】
さらに、固定電話機５が少なくとも１台の子機と接続されている場合には、ユーザは、通話状態とした固定電話機１及び子機の何れかを介して、上記の警告を確認することができる。つまり、ユーザは、固定電話機５の設置場所付近だけでなく、子機が設定されている付近においても警告を確認することができる。
【０２３２】
〔実施の形態７〕
次に、本発明の他の実施形態について図１３、図１８〜図２０に基づいて説明すれば、以下のとおりである。なお、実施の形態１〜６と同様の部材に関しては、同じ符号を付し、その説明を省略する。実施の形態５では、携帯電話機１と録画再生装置３とがＨＤＭＩ接続されており、携帯電話機１のＩＲリモコン機能を用いて置き忘れの警告をテレビ２に行わせる構成について説明した。本実施の形態では、携帯電話機１とＰＣ６（第２外部機器）とが無線接続されている場合に、携帯電話機１のＩＲリモコン機能を用いて置き忘れの警告をテレビ２（第１外部機器）に行わせる構成について説明する。
【０２３３】
なお、本実施の形態に係る携帯電話機１の外観については、実施の形態１で説明した、図３に示す外観と同じであるので、ここではその説明を省略する。
【０２３４】
〔通信システム１０ｄの概略構成〕
まず、本実施の形態に係る通信システム１０ｄについて、図１８を用いて説明する。図１８は、本実施の形態に係る通信システム１０ｄの概略構成の一例を示す図である。
【０２３５】
通信システム１０ｂは、携帯電話機１、テレビ２、及び、携帯電話機１とファイルの送受信を行うことが可能なＰＣ６を備えている。携帯電話機１は、ＰＣ６と無線ＬＡＮを用いて接続されるものである。また、携帯電話機１は、ＩＲリモコン機能を有しており、テレビ２の制御をＩＲリモコン信号にて行う。このため、携帯電話機１は、ＰＣ６と無線ＬＡＮを用いて接続可能な位置で、かつ、ＩＲリモコン信号がテレビ２に届く範囲内に存在するものとする。
【０２３６】
なお、ＰＣ６は、無線ＬＡＮの親機（アクセスポイント）として機能するが、その他の構成については既知であるので、具体的な説明については省略する。
【０２３７】
〔携帯電話機１の構成〕
次に、図１３を用いて、本実施の形態に係る携帯電話機１の内部構成について説明する。なお、実施の形態５で説明した部材について、本実施の形態においても同様の機能を有するものについては、その説明を省略する。
【０２３８】
通信部１４は、通信制御部１１３の制御を受けて、無線ＬＡＮの通信方式（IEEE802.11）に従ったデータまたは制御信号の入出力を行うものである。
【０２３９】
また、制御部１１の通信制御部１１３は、第２通信部１５における無線ＬＡＮの通信方式に従った信号の入出力に関する解析及び制御を行うものである。
【０２４０】
使用状態判定部１１１は、ＰＣ６より定期的に送信されるビーコンを受信しているか否かを確認しており、未受信の状態が継続した場合には、ＰＣ６との接続が未接続状態になったものと判断する。この状態では、ＰＣ６とのデータの送受信を行うことが不可能となるため、使用状態判定部１１１は、ＰＣ５との接続使用という観点から、ＰＣ６による携帯電話機１の使用が終了したか否かを判定する。つまり、使用状態判定部１１１は、ＰＣ６からビーコンを所定の回数受信しなかった場合に、ＰＣ６による携帯電話機１の使用が終了したと判定する。
【０２４１】
本実施の形態では、ＰＣ６は、無線ＬＡＮのアクセスポイントとして機能するので、定期的にブロードキャスト・ビーコンを周辺機器（クライアント）に送信している。そのため、クライアント側である携帯電話機１では、使用状態判定部１１１は、通信制御部１１３が、このビーコンを定期的に受け取り続けることで、ＰＣ６と無線ＬＡＮを用いて接続されている状態であることを認識している。
【０２４２】
警告制御部１１２は、使用状態判定部１１１によりＰＣ６による携帯電話機１の使用が終了したと判定された場合に、通信制御部１１３に対してテレビ２の電源オンや警告表示を行うための指示（命令）を通知して、ＰＣ６と接続状態であることをテレビ２に警告させる。
【０２４３】
〔携帯電話機１における処理及び通信システム１０ｄにおけるシーケンス〕
次に、図１９及び図２０を用いて、携帯電話機１における処理について説明する。図１９は、携帯電話機１の処理の一例を示すフローチャートであり、図２０は、その処理の一例を示すＰＣ６−携帯電話機１−テレビ２のＨＤＭＩ  ＣＥＣ処理シーケンスである。なお、図２０において、実線の矢印は、ＰＣ６からのビーコンが携帯電話機１で受信できた場合を示しており、破線の矢印は、当該ビーコンが携帯電話機１では受信できなかった場合を示す。
【０２４４】
この処理では、携帯電話機１及びＰＣ６は、無線ＬＡＮを介して自由なタイミングで双方のデータを閲覧できる状態にあるものとし、この状態を、携帯電話機１がＰＣ６と連携して使用されている状態とする。なお、携帯電話機１及びＰＣ６は、常時接続していなくても、閲覧したいときに相手方にアクセスし、データを閲覧できる状態にあるものとする。
【０２４５】
なお、Ｓ５４の処理については、実施の形態５（図１４に示すＳ３４の処理）と同様であるので、その説明を省略する。
【０２４６】
まず、携帯電話機１が、ＰＣ６とのデータ送信または受信が開始される（例えば、携帯電話機１による、ＰＣ６に記録されているコンテンツの録画が開始される）と、タイマー制御部１１４は、タイマー１３を作動させ、所定の時間Ｔ４の計時を開始させる（Ｓ５１）。所定の時間Ｔ４は、ＰＣ６によるビーコンの送信間隔以上の間隔で、かつ、複数のビーコンを受信しないような間隔に設定されていればよい。
【０２４７】
タイマー制御部１１４は、所定の時間Ｔ４の計時を開始させると、その旨を使用状態判定部１１１に通知する。使用状態判定部１１１は、その通知を受けると、所定の時間Ｔ４満了内にビーコンを受信するか否かを判定する（Ｓ５２）。タイマー制御部１１４は、所定の時間Ｔ４が経過すると、その旨を使用状態判定部１１１に通知する。使用状態判定部１１１は、この通知を受ける前にビーコンの受信を確認できたか否かによって、所定の時間Ｔ４満了内にビーコンを受信するか否かを判定する。
【０２４８】
使用状態判定部１１１は、通信部１４及び通信制御部１１３を介して、所定の時間Ｔ４内にビーコンの受信が確認できた場合（Ｓ５２でＹＥＳ）、タイマー制御部１１４に所定の時間Ｔ４を再度計時させて、Ｓ５１の処理に戻る。一方、使用状態判定部１１１は、所定の時間Ｔ４内にビーコンの受信を確認できなかった場合（Ｓ５２でＮＯ）、ビーコンの受信が確認できない状態（ビーコンの受信無し状態）がＣ１回以上継続しているかを確認する（Ｓ５３）。
【０２４９】
具体的には、使用状態判定部１１１は、所定の時間Ｔ４内にビーコンの受信を確認できなかった場合には、その度に、ビーコン未受信の回数を計数し、その回数が予め設定されているＣ１回となっていないかを確認する。なお、ビーコン未受信の回数は、計数される度に記憶部１２に記憶される。そして、使用状態判定部１１１は、ビーコンの受信が確認できなかったときに計数した回数がＣ１回に達した場合に、ビーコンの受信無し状態がＣ１回以上継続したと判断する。
【０２５０】
使用状態判定部１１１は、ビーコン無し状態がＣ１回に達していないと判定した場合には（Ｓ５３でＮＯ）、タイマー制御部１１４に所定の時間Ｔ４を再度計時させて、Ｓ５１の処理に戻る。なお、この場合に、Ｓ５２にてビーコンの受信を確認した場合には、記憶部１２に記憶したビーコン未受信の回数を「０回」にする。一方、ビーコン無し状態がＣ１回に達したと判定した場合には（Ｓ５３でＹＥＳ）、その旨を警告制御部１１２に通知し、Ｓ５４の処理に移行する。
【０２５１】
図２０において、使用状態判定部１１１は、Ｃ３１〜Ｃ３３ではビーコンを受信しているので、ＰＣ６との接続状態が良好であると判断する。一方、使用状態判定部１１１は、Ｃ３４では、使用状態判定部１１１は、所定の時間Ｔ４内にビーコンの受信を確認できないので、ビーコン未受信の回数を「１回」と計数する。Ｃ３５においても、引き続きビーコンの受信を確認できないので、ビーコン未受信の回数を「２回」と計数する。そして、使用状態判定部１１１は、このビーコン未受信の状態が続き、ビーコン未受信の回数が「Ｃ１回」となると（Ｃ３６）、無線ＬＡＮが接続不可となったと判断し、ＰＣ６による携帯電話機１の使用が終了したか否かを判定する。
【０２５２】
使用状態判定部１１１は、ビーコン無し状態がＣ１回に達したと判定した場合（すなわち、無線ＬＡＮが接続不可となったと判断し、ＰＣ６による携帯電話機１の使用が終了したと判定した場合）には、その旨を警告制御部１１２に通知する。警告制御部１１２は、この通知を受けて、第２通信制御部１１５を制御することにより、テレビ２の電源オンを示すＩＲリモコン信号をテレビ２に送信する（Ｃ３７）。なお、実施の形態５と同様、よりユーザの注意を引くことができるように、警告用画像ファイルとその表示指示を当該ＩＲリモコン信号に含めて送信してもよい。
【０２５３】
このように、携帯電話機１が他の外部機器（テレビ２及びＰＣ６）とＨＤＭＩとは異なる通信方式を用いて接続されている場合であっても、実施の形態５と同様の効果を奏することができる。すなわち、携帯電話機１は、ＰＣ６との通信状態の変化をトリガーとして、テレビ２が電源オンになったというテレビ２の状況変化を作りだすことによって、ユーザの注意をひくことができ、録画再生装置３に携帯電話機１が接続されたままの状態で置き忘れられることを確実に防止することができる。
【０２５４】
〔本実施の形態に係る携帯電話機１の作用効果〕
以上のように、本実施の形態では、実施の形態４及び５の作用効果に加え、以下のような作用効果を奏する。
【０２５５】
すなわち、使用状態判定部１１１は、ＰＣ６からビーコンを所定の回数受信しなかった場合には、ＰＣ６との接続が未接続状態になったと判断することにより、ＰＣ６による自端末の使用が終了したと判定する。これにより、携帯電話機１は、ＰＣ６からビーコンを所定の回数受信しなかったという、自端末がＰＣ６により使用されない状況を確実に把握した上で、自端末の使用終了の判定を行うことができる。
【０２５６】
〔補足〕
最後に、携帯電話機１の各ブロック、特に制御部１１の使用状態判定部１１１、警告制御部１１２、通信制御部１１３、タイマー制御部１１４、第２通信制御部１１５及び無線制御部１１６は、ハードウェアロジックによって構成してもよいし、次のようにＣＰＵを用いてソフトウェアによって実現してもよい。
【０２５７】
すなわち、携帯電話機１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、前記携帯電話機１に供給し、そのコンピュータ（又はＣＰＵやＭＰＵ）が記録媒体に記録されているプログラムコードを読み出し実行することによっても、達成可能である。
【０２５８】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５９】
また、携帯電話機１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２６１】
例えば、実施の形態２の図７に示すＳ１７〜Ｓ１９の処理、すなわち、テレビ２による警告後にテレビ２の電源をオフする処理については、実施の形態１と同様、実施の形態３〜５及び７の処理にも適用することができる。
【０２６２】
また、実施の形態２〜７では、実施の形態１と同様、テレビ２または固定電話機５による警告の際に、携帯電話機１の表示部２１及び／またはスピーカー２２を用いて警告を行わせてもよい。
【産業上の利用可能性】
【０２６３】
本発明は、外部機器との連携した使用が終了した場合に、そのまま置き忘れて放置されることを回避することができるので、様々な機器と接続して使用することが可能な携帯端末、例えば携帯電話機、ＰＤＡ、ノートＰＣなどに好適である。
【符号の説明】
【０２６４】
１      携帯電話機（携帯端末）
２      テレビ（外部機器、第１外部機器）
３      録画再生装置（他の外部機器、第２外部機器）
５      固定電話機（第１外部機器）
６      ＰＣ（第２外部機器）
２１    表示部（提示手段）
２２    スピーカー（提示手段）
１１１  使用状態判定部（判定手段）
１１２  警告制御部（警告制御手段）
【図１】
2011182257.tif 000003
【図２】
2011182257.tif 000004
【図３】
2011182257.tif 000005
【図４】
2011182257.tif 000006
【図５】
2011182257.tif 000007
【図６】
2011182257.tif 000008
【図７】
2011182257.tif 000009
【図８】
2011182257.tif 000010
【図９】
2011182257.tif 000011
【図１０】
2011182257.tif 000012
【図１１】
2011182257.tif 000013
【図１２】
2011182257.tif 000014
【図１３】
2011182257.tif 000015
【図１４】
2011182257.tif 000016
【図１５】
2011182257.tif 000017
【図１６】
2011182257.tif 000018
【図１７】
2011182257.tif 000019
【図１８】
2011182257.tif 000020
【図１９】
2011182257.tif 000021
【図２０】
2011182257.tif 000022